(57)【特許請求の範囲】
【請求項１】
デジタルペンを用いて手書き可能な物理的媒体上の情報を修正することによって、記憶手段内に格納された情報を修正する方法であって、前記物理的媒体は、１又は複数の項目フィールド名と、当該項目フィールド名に関連付けられた、情報を記入するための領域（以下、第１領域という）とを含む所定フィールドを有しており、前記記憶手段内に格納された前記情報は、前記物理的媒体の前記項目フィールド名それぞれに対応する属性値と、前記第１領域内それぞれに記入された情報に対応する属性値とを有することができ、
前記方法は、前記デジタルペンと通信可能な装置が、
前記所定フィールド内のいずれかの第１領域内に記入された情報上又は当該情報が記入された前記第１領域内に、前記デジタルペンを用いて修正記号が付加されることを検出するステップと、
前記修正記号が前記情報上又は前記第１領域内に付加されることを検出することに応じて、前記修正記号が付加されたときの前記デジタルペンの位置情報に基づいて、前記項目フィールド名のうちのどの項目フィールド名に関連付けられた第１領域内に記入された情報が修正されうるかを特定するステップと、
前記特定された項目フィールド名に関連付けられた前記第１領域と異なる、情報を記入するための領域（以下、第２領域という）内に、前記デジタルペンを用いて情報が記入されることを検出するステップと、
前記第２領域内に前記情報が記入されることを検出することに応じて、前記記憶手段内の前記情報中の、前記第１領域内に記入された前記情報に対応する属性値を、前記第２領域内に記入された前記情報に対応する属性値に置き換えるステップと
を実行することを含む、前記方法。
【請求項２】
前記物理的媒体が、１又は複数の修正フィールド名と、当該修正フィールド名に関連付けられた、情報を記入するための領域（以下、第３領域という）とを含む修正フィールドをさらに有しており、
前記装置が、
前記所定フィールド内に、前記デジタルペンを用いて前記修正フィールド名が記入されることを検出するステップ、
を実行することをさらに含み、
前記置き換えるステップが、前記所定フィールド内に記入された前記修正フィールド名に関連付けられた第３領域内に情報が記入されることを検出することに応じて、前記記憶手段内の前記情報中の、前記第１領域内に記入された前記情報に対応する属性値を、前記第３領域に記入された前記情報に対応する属性値に置き換えるステップを含む、
請求項１に記載の方法。
【請求項３】
前記物理的媒体が、１又は複数の修正フィールド名を含む修正フィールドをさらに有しており、
前記装置が、
前記所定フィールド内に、前記デジタルペンを用いて前記修正フィールド名が記入されることを検出するステップと、
前記修正フィールド内の前記所定フィールド内に記入された修正フィールド名が記入された領域に隣接して又はその近傍に、情報を記入するための領域（以下、第４領域という）が記入されることを検出するステップと
を実行することをさらに含み、
前記置き換えるステップが、前記検出された前記第４領域内に情報が記入されることを検出することに応じて、前記記憶手段内の前記情報中の、前記第１領域内に記入された前記情報に対応する属性値を、前記検出された前記第４領域に記入された前記情報に対応する属性値に置き換えるステップを含む、
請求項１に記載の方法。
【請求項４】
前記装置が、
前記物理的媒体上に、情報を記入するための領域（以下、第５領域という）が前記デジタルペンを用いて記入されることを検出するステップと、
前記修正記号が付加された前記第１領域と前記第５領域とが前記デジタルペンを用いて線で関連付けるステップと、
をさらに実行することを含み、
前記置き換えるステップが、前記第５領域内に情報が記入されることを検出することに応じて、前記記憶手段内の前記情報中の、前記第１領域内に記入された前記情報に対応する属性値を、前記第５領域に記入された前記情報に対応する属性値に置き換えるステップを含む、
請求項１に記載の方法。
【請求項５】
前記装置が、前記修正記号が付加された前記第１領域と前記第５領域とが線で関連付けられることに応じて、前記第１領域の物理的媒体上の位置情報を前記第５領域の物理的媒体上の位置情報に置き換えるステップを含む、請求項４に記載の方法。
【請求項６】
前記装置が、
前記物理的媒体上に、前記修正記号が付加された前記第１領域についての項目フィールド名に対応する修正対象項目フィールド名と、当該対応する修正対象項目フィールド名に関連付けられた、情報を記入するための領域（以下、第６領域という）とが前記デジタルペンを用いて記入されることを検出するステップ、
をさらに実行することを含み、
前記置き換えるステップが、前記第６領域内に情報が記入されることを検出することに応じて、前記記憶手段内の前記情報中の、前記第１領域内に記入された前記情報に対応する属性値を、前記第６領域に記入された前記情報に対応する属性値に置き換えるステップを含む、
請求項１に記載の方法。
【請求項７】
前記装置が、
前記所定フィールド内のいずれかの第１領域内に情報が記録されたことを検出するステップをさらに実行することを含む、請求項１に記載の方法。
【請求項８】
前記装置が、
前記第１領域内に情報が記録されることを検出することに応じて、前記第１領域内に情報が記録されたときの前記デジタルペンの位置情報に基づいて、前記項目フィールド名のうちのどの項目フィールド名に関連付けられた第１領域内に記入された情報が記録されたかを特定するステップをさらに実行することを含む、請求項７に記載の方法。
【請求項９】
前記装置が、
前記第１領域内に情報が記録されることを検出することに応じて、当該記録された情報をＯＣＲ（OpticalCharacter Recognition）手段によりテキスト化するステップと、
前記テキスト化したデータを、前記記憶手段内の前記情報中の、前記特定された項目フィールド名に対応する属性値とするステップと
をさらに実行することを含む、請求項８に記載の方法。
【請求項１０】
前記装置が、
前記テキスト化された前記属性値が、前記特定された項目フィールド名に対応する属性値として適切であるかどうかを判断するステップと、
前記テキスト化された前記属性値が適切でない場合に、ユーザに通知するステップと
を実行することをさらに含む、請求項９に記載の方法。
【請求項１１】
前記ユーザに通知することが、
前記デジタルペン、前記装置、若しくは、前記デジタルペンと前記装置とを中継する中継装置に備えられている振動手段により通知すること、
前記デジタルペン、前記装置、若しくは、前記中継装置に備えられている音声手段により通知すること、又は、
前記デジタルペン、前記中継装置、若しくは、前記装置に接続された液晶画面に表示することにより通知すること
によって行われる、請求項１０に記載の方法。
【請求項１２】
前記デジタルペン又は前記装置が、前記物理的媒体上での当該デジタルペンの位置情報を取得する取得手段を備えており、
前記特定するステップが、前記修正記号が付加されることを検出することに応じて、前記取得手段により前記情報が修正された項目フィールドを特定するステップを含む、請求項１に記載の方法。
【請求項１３】
前記デジタルペン又は前記装置が、ＯＣＲ（Optical Character Recognition）手段を備えており、
前記記入された情報が、前記ＯＣＲ手段により読み取られる、請求項１に記載の方法。
【請求項１４】
前記第２領域内に記入された情報に対応する前記属性値が、前記第２領域に記入された情報をテキスト化したものである、請求項１に記載の方法。
【請求項１５】
デジタルペンを用いて手書き可能な物理的媒体上の情報を修正することによって記憶手段内に格納された情報を修正するための装置であって、前記物理的媒体は、１又は複数の項目フィールド名と、当該項目フィールド名に関連付けられた、情報を記入するための領域（以下、第１領域という）とを含む所定フィールドを有しており、前記記憶手段内に格納された前記情報は、前記物理的媒体の前記項目フィールド名それぞれに対応する属性値と、前記第１領域内それぞれに記入された情報に対応する属性値とを有することができ、
前記装置が、
前記所定フィールド内のいずれかの第１領域内に記入された情報上又は当該情報が記入された前記第１領域内に、前記デジタルペンを用いて修正記号が付加されることを検出する検出手段と、
前記修正記号が前記情報上又は前記第１領域内に付加されることを検出することに応じて、前記修正記号が付加されたときの前記デジタルペンの位置情報に基づいて、前記項目フィールド名のうちのどの項目フィールド名に関連付けられた第１領域内に記入された情報が修正されうるかを特定する特定手段と
を備えており、
前記検出手段は、前記特定された項目フィールド名に関連付けられた前記第１領域と異なる、情報を記入するための領域（以下、第２領域という）内に、前記デジタルペンを用いて情報が記入されることを検出し、
前記装置が、
前記第２領域内に前記情報が記入されることを検出することに応じて、前記記憶手段内の前記情報中の、前記第１領域内に記入された前記情報に対応する属性値を、前記第２領域内に記入された前記情報に対応する属性値に置き換える置き換え手段
をさらに備えている、前記装置。
【請求項１６】
前記物理的媒体が、１又は複数の修正フィールド名と、当該修正フィールド名に関連付けられた、情報を記入するための領域（以下、第３領域という）とを含む修正フィールドをさらに有しており、
前記検出手段が、前記所定フィールド内に、前記デジタルペンを用いて前記修正フィールド名が記入されることを検出し、
前記置き換え手段が、前記所定フィールド内に記入された前記修正フィールド名に関連付けられた第３領域内に情報が記入されることを検出することに応じて、前記記憶手段内の前記情報中の、前記第１領域内に記入された前記情報に対応する属性値を、前記第３領域に記入された前記情報に対応する属性値に置き換える、
請求項１５に記載の装置。
【請求項１７】
前記物理的媒体が、１又は複数の修正フィールド名を含む修正フィールドをさらに有しており、
前記検出手段が、前記所定フィールド内に、前記デジタルペンを用いて前記修正フィールド名が記入されることを検出し、前記修正フィールド内の前記所定フィールド内に記入された修正フィールド名が記入された領域に隣接して又はその近傍に、情報を記入するための領域（以下、第４領域という）が記入されることを検出し、
前記置き換え手段が、前記検出された前記第４領域内に情報が記入されることを検出することに応じて、前記記憶手段内の前記情報中の、前記第１領域内に記入された前記情報に対応する属性値を、前記検出された前記第４領域に記入された前記情報に対応する属性値に置き換える、
請求項１５に記載の装置。
【請求項１８】
前記検出手段が、前記物理的媒体上に、情報を記入するための領域（以下、第５領域という）がデジタルペンを用いて記入されることを検出し、前記修正記号が付加された前記第１領域と前記第５領域とが前記デジタルペンを用いて線で関連付けられることを検出し
前記置き換え手段が、前記第５領域内に情報が記入されることを検出することに応じて、前記記憶手段内の前記情報中の、前記第１領域内に記入された前記情報に対応する属性値を、前記第５領域に記入された前記情報に対応する属性値に置き換える、
請求項１５に記載の装置。
【請求項１９】
前記特定手段が、前記修正記号が付加された前記第１領域と前記第５領域とが前記線で関連付けられることに応じて、前記線で関連付けられた前記第１領域の物理的媒体上の位置情報を前記第５領域の物理的媒体上の位置情報に置き換えることを含む、請求項１８に記載の装置。
【請求項２０】
前記検出手段が、前記物理的媒体上に、前記修正記号が付加された前記第１領域についての項目フィールド名に対応する修正対象項目フィールド名と、当該対応する修正対象項目フィールド名に関連付けられた、情報を記入するための領域（以下、第６領域という）とが前記デジタルペンを用いて記入されることを検出し、
前記置き換え手段が、前記第６領域内に情報が記入されることを検出することに応じて、前記記憶手段内の前記情報中の、前記第１領域内に記入された前記情報に対応する属性値を、前記第６領域に記入された前記情報に対応する属性値に置き換える、
請求項１５に記載の装置。
【請求項２１】
デジタルペンを用いて手書き可能な物理的媒体上の情報を修正することによって、記憶手段内に格納された情報を修正するためのコンピュータ・プログラムであって、前記デジタルペンと通信可能な装置に、請求項１〜１４のいずれか一項に記載の方法の各ステップを実行させる前記コンピュータ・プログラム。
【発明の詳細な説明】
【技術分野】
【０００１】
本発明は、一般的には、デジタルペンを用いてデジタル情報を自動的に修正する技法に関する。より詳細には、本発明は、デジタルペンを用いて手書き可能な物理的媒体上の情報を修正することによって、記憶手段内に格納された情報を修正する方法、並びに、その装置、コンピュータ・プログラム及びコンピュータ・プログラム製品に関する。
【背景技術】
【０００２】
企業活動において文書作成のデジタル化が進み、所謂パーソナル・コンピュータ又は携帯情報端末（例えば、携帯情報端末（ＰＤＡ）又はタブレット）を使用し、直接文書を作成する機会が多い。しかしながら、ある企業活動、例えば法務文書又は経理文書の作成においては紙文書を保管する必要性があることから、デジタル文書ではなく、紙文書を作成することが要求されることがある。また、ある企業活動、例えば看護、リハビリ若しくは介護の現場又は建築現場においては、紙文書への手書きによる記入がパーソナル・コンピュータ又は携帯情報端末への入力作業（すなわち、電子文書の作成である）よりも容易である場合がある。
【０００３】
そこで、例えば、ＭＶＰｅｎテクノロジーズ株式会社から発売されているＭＶペン（商標）、ぺんてる株式会社から発売されているａｉｒｐｅｎ（商標）、ゼブラ株式会社から発売されているＴｅｇａｋｉＰＡＤ（商標）、及び、ワコム株式会社から発売されているＩｎｋｌｉｎｇ（商標）などのデジタルペンを用いて、文書を紙媒体上に書きながら、当該書いた文字を電子化する手法が知られている。
【０００４】
下記特許文献１は、入力ペンの先端部などに設けられるイメージスキャナにより取り込まれたイメージデータが、イメージＯＣＲ部により文字領域が切り出されて文字認識されるデータ入力システムを記載する（請求項１）。当該データ入力システムは、入力処理中に読み取り誤りが発生したような場合に、今度は、正しい文字をその入力ペンで筆記することによって、移動距離センサにより得られた移動距離および移動方向を含む移動距離データから移動の軌跡を辿らせ、その辿った移動の軌跡が表現する文字を読み取らせることを記載する（段落００１１）。
【０００５】
下記特許文献２は、誤読文字やリジェクト文字の検証時、その誤読文字或いはリジェクト文字を見付けたとき、手書き入力部の専用ペンを使って修正文字を記入し、修正イメージデータとして入力するので、カタカナ，ひらがな，漢字の場合でもペンで書くように入力すればよく、熟練を必要とせずに簡単に操作でき、操作の負担軽減および操作時間の短縮化に大きく貢献するＯＣＲ検証システムを記載する（請求項１、段落００２６、段落００３０）。
【０００６】
下記特許文献３は、帳票のイメージを読み取って前記帳票上に記入されている文字を認識するＯＣＲ装置を記載する（請求項１、段落０００９）。当該ＯＣＲ装置は、ＯＣＲ本体によって読み取り対象となる帳票のイメージを読み取って文字を認識するとともに、認識できなかった文字があったとき、修正コンソールに設けられたペンＰＣ部のタッチ入力や手書き入力やキーボードのキー入力によって正しい文字データを入力させ、全ての文字について正しい読み取り内容が得られたとき、これらの文字のデータ処理を行なうようにしたことを記載する（段落００３１）。
【０００７】
下記特許文献４は、認識文字列における所望される部分文字列とともに、該部分文字列に対応して文字列修正のための複数の異なる基準線のうち外部操作により１つ以上の基準線の位置が変更されたとき、その位置変更の態様に基づいて特定される修正ルールを用いて、前記認識文字列における前記部分文字列を修正する文字列修正手段を備える文字修正装置を記載する（請求項１）。
【０００８】
下記特許文献５は、個別に識別可能な電子ペンと、この電子ペンにより記入することによりその内容をそれぞれ認識して電子データを処理することができる電子ペーパとの組み合わせを使用するサービス管理業務の入力・情報処理システムを記載する（請求項１）。当該入力・情報処理システムは、ＯＣＲ認識された数値・記号・文字データについてキーボードによる修正可能な形式で表示してサービス管理データを確認できる数字表示部を有する画像・数字併用方式のディスプレイ手段を備えることを記載する（請求項２及び３）。
【０００９】
下記特許文献６は、電子ペン用ＯＣＲ帳票を利用し、電子ペンを通じて得られた第１の記入データ（例えばテキストデータ）と、光学読取装置によるＯＣＲ処理を通じて得られた第２の記入データ（例えばテキストデータ）とを照合させるサーバ装置を記載する（請求項６、段落００１８）。
【００１０】
下記特許文献７は、光学式文字読取装置（ＯＣＲ）あるいはキーボード等の入力装置を用いることなく、手書きの文字を記入と同時に正確に認識して入力することができる入力装置を記載する（請求項１、段落０１０９）。
【先行技術文献】
【特許文献】
【００１１】
【特許文献１】特開平１１−３２８３１０号公報
【特許文献２】特開平６−１１９４８５号公報
【特許文献３】特開平７−４９９２３号公報
【特許文献４】特開２００１−６７４３４号公報
【特許文献５】特開２００９−１５７７１号公報
【特許文献６】特開２００４−２０６２９３号公報
【特許文献７】特開平６−９５８００号公報
【発明の概要】
【発明が解決しようとする課題】
【００１２】
紙媒体へ文字又は数字を記入する場合、誤記又は誤字の修正をすることはどうしても避けられない。また、紙媒体へ記入した文字又は数字の書き具合によっては、その文字又は数字の書き直しが必要な場合がある。特に、デジタルペンを用いて紙文書へ文字又は数字を記入する場合において、当該記入された文字又は数字が電子化される場合に、当該電子化された文字又は数字を修正する必要がある。そこで、本発明は、デジタルペンによる上記修正又は上記書き直しを容易にし、且つ、当該修正された文字若しくは数字又は書き直された文字若しくは数字を、上記電子化において反映させることを可能にする技法を提供することを目的とする。
【００１３】
また、紙媒体へ文字又は数字が記入されることに応じて、当該紙媒体に対応する電子帳票への入力を連携させたいという要望がある。特に、リアルタイムに、紙媒体への記入、特に上記修正や上記書き直しを電子帳票への入力にも反映させたいという要望がある。そこで、本発明は、上記要望を満たす技法を提供することを目的とする。
【００１４】
また、紙媒体に文字又は数字が記入され、さらに当該記入した文字又は数字を修正した当該紙媒体について、後の履歴参照のために保存しておくという実務がある。そこで、本発明は、上記実務を満たしつつ、上記要望を満たす技法を提供することを目的とする。
【課題を解決するための手段】
【００１５】
本発明は、デジタルペンを用いて手書き可能な物理的媒体上の情報を修正することによって、記憶手段内に格納された情報を修正する技法（方法、装置、並びにコンピュータ・プログラム及びコンピュータ・プログラム製品）を提供する。上記物理的媒体は所定フィールドを有しており、当該所定フィールドは、１又は複数の項目フィールド名と、当該項目フィールド名に関連付けられた、情報を記入するための領域（以下、第１領域ともいう）とを有する。上記記憶手段内に格納された情報は、上記物理的媒体の上記項目フィールド名それぞれに対応する属性値と、上記第１領域内それぞれに記入された情報に対応する属性値とを有しうる。
【００１６】
第１に、本発明は、ユーザがデジタルペンを用いて手書き可能な物理的媒体上の情報を修正することによって、記憶手段内に格納された情報を修正する方法を提供する。当該方法は、
上記所定フィールド内のいずれかの第１領域内に記入された情報に、上記デジタルペンを用いて修正記号がユーザによって付加されることを検出するステップと、
上記修正記号が付加されることを検出することに応じて、上記修正記号が付加されたときの上記デジタルペンの位置情報に基づいて、上記項目フィールド名のうちのどの項目フィールド名に関連付けられた第１領域内に記入された情報が修正されうるかを特定するステップと、
上記特定された項目フィールド名に関連付けられた上記第１領域と異なる、情報を記入するための領域（以下、第２領域ともいう）内に、上記デジタルペンを用いて情報がユーザによって記入されることを検出するステップと、
上記第２領域内に上記情報が記入されることを検出することに応じて、上記記憶手段内の上記情報中の、上記第１領域内に記入された上記情報に対応する属性値を、上記第２領域内に記入された上記情報に対応する属性値に置き換えるステップと
を含む。
【００１７】
本発明の一つの実施態様において、上記物理的媒体が、１又は複数の修正フィールド名と、当該修正フィールド名に関連付けられた、情報を記入するための領域（以下、第３領域ともいう）とを含む修正フィールドをさらに有しうる。そして、上記方法が、上記所定フィールド内に、上記デジタルペンを用いて上記修正フィールド名がユーザによって記入されることを検出するステップをさらに含みうる。また、上記置き換えるステップが、上記所定フィールド内に記入された上記修正フィールド名に関連付けられた第３領域内に情報が記入されることを検出することに応じて、上記記憶手段内の上記情報中の、上記第１領域内に記入された上記情報に対応する属性値を、上記第３領域に記入された上記情報に対応する属性値に置き換えるステップを含みうる。また、上記方法は、上記所定フィールド内に記入された上記修正フィールド名に関連付けられた第３領域と、上記特定された第１領域とを関連付けるステップをさらに含みうる。
【００１８】
本発明の一つの実施態様において、上記物理的媒体が、１又は複数の修正フィールド名を含む修正フィールドをさらに有しうる。そして、上記方法が、上記所定フィールド内に、上記デジタルペンを用いて上記修正フィールド名がユーザによって記入されることを検出するステップと、上記修正フィールド内の上記所定フィールド内に記入された修正フィールド名が記入された領域に隣接して又はその近傍に、情報を記入するための領域（以下、第４領域ともいう）が上記デジタルペンを用いてユーザによって記入されることを検出するステップととをさらに含みうる。上記置き換えるステップが、上記検出された上記第４領域内に情報が記入されることを検出することに応じて、上記記憶手段内の上記情報中の、上記第１領域内に記入された上記情報に対応する属性値を、上記検出された上記第４領域に記入された上記情報に対応する属性値に置き換えるステップを含みうる。上記方法は、上記検出された第４領域と、上記特定された第１領域とを関連付けるステップをさらに含みうる。
【００１９】
本発明の一つの実施態様において、上記方法が、上記物理的媒体上に、情報を記入するための領域（以下、第５領域ともいう）が上記デジタルペンを用いてユーザによって記入されることを検出するステップと、上記修正記号が付加された上記第１領域と上記第５領域とが上記デジタルペンを用いてユーザによって線で関連付けるステップとをさらに含みうる。そして、上記置き換えるステップが、上記第５領域内に情報が記入されることを検出することに応じて、上記記憶手段内の上記情報中の、上記第１領域内に記入された上記情報を、上記第５領域に記入された上記情報に置き換えるステップを含みうる。上記方法は、上記線で関連づけることによって、上記第１領域の物理的媒体上の位置情報を上記第５領域の物理的媒体上の位置情報に置き換えることを含みうる。
【００２０】
本発明の一つの実施態様において、上記方法が、上記物理的媒体上に、上記修正記号が付加された上記第１領域についての項目フィールド名に対応する修正対象項目フィールド名と、当該対応する修正対象項目フィールド名に関連付けられた、情報を記入するための領域（以下、第６領域ともいう）とがデジタルペンを用いてユーザによって記入されることを検出するステップをさらに含みうる。そして、上記置き換えるステップが、上記第６領域内に情報が記入されることを検出することに応じて、上記記憶手段内の上記情報中の、上記第１領域内に記入された上記情報に対応する属性値を、上記第６領域に記入された上記情報に対応する属性値に置き換えるステップを含みうる。
【００２１】
第２に、本発明は、ユーザがデジタルペンを用いて手書き可能な物理的媒体上の情報を修正することによって記憶手段内に格納された情報を修正するための装置を提供する。当該装置は、
上記所定フィールド内のいずれかの第１領域内に記入された情報に、上記デジタルペンを用いて修正記号がユーザによって付加されることを検出する検出手段と、
上記修正記号が付加されることを検出することに応じて、上記修正記号が付加されたときの上記デジタルペンの位置情報に基づいて、上記項目フィールド名のうちのどの項目フィールド名に関連付けられた第１領域内に記入された情報が修正されうるかを特定する特定手段と
を備えている。
上記検出手段は、上記特定された項目フィールド名に関連付けられた上記第１領域と異なる、情報を記入するための領域（第２領域）内に、上記デジタルペンを用いて情報がユーザによって記入されることを検出する。
上記装置は、上記第２領域内に上記情報が記入されることを検出することに応じて、上記記憶手段内の上記情報中の、上記第１領域内に記入された上記情報に対応する属性値を、上記第２領域内に記入された上記情報に対応する属性値に置き換える置き換え手段をさらに備えている。
【００２２】
本発明の一つの実施態様において、上記物理的媒体が、１又は複数の修正フィールド名と、当該修正フィールド名に関連付けられた、情報を記入するための領域（第３領域）とを含む修正フィールドをさらに有しうる。また、上記検出手段が、上記所定フィールド内に、上記デジタルペンを用いて上記修正フィールド名がユーザによって記入されることを検出しうる。また、上記置き換え手段が、上記所定フィールド内に記入された上記修正フィールド名に関連付けられた第３領域内に情報が記入されることを検出することに応じて、上記記憶手段内の上記情報中の、上記第１領域内に記入された上記情報に対応する属性値を、上記第３領域に記入された上記情報に対応する属性値に置き換えうる。
【００２３】
本発明の一つの実施態様において、上記物理的媒体が、上記物理的媒体が、１又は複数の修正フィールド名を含む修正フィールドをさらに有しうる、また、上記検出手段が、上記所定フィールド内に、上記デジタルペンを用いて上記修正フィールド名がユーザによって記入されることを検出し、上記修正フィールド内の上記所定フィールド内に記入された修正フィールド名が記入された領域に隣接して又はその近傍に、情報を記入するための領域（第４領域）が記入されることを検出しうる。また、上記置き換え手段が、上記検出された上記第４領域内に情報が記入されることを検出することに応じて、上記記憶手段内の上記情報中の、上記第１領域内に記入された上記情報に対応する属性値を、上記検出された上記第４領域に記入された上記情報に対応する属性値に置き換えうる。
【００２４】
本発明の一つの実施態様において、上記検出手段が、上記物理的媒体上に、情報を記入するための領域（第５領域）がデジタルペンを用いてユーザによって記入されることを検出し、上記修正記号が付加された上記第１領域と上記第５領域とが上記デジタルペンを用いて線で関連付けられることを検出しうる。また、上記置き換え手段が、上記第５領域内に情報が記入されることを検出することに応じて、上記記憶手段内の上記情報中の、上記第１領域内に記入された上記情報に対応する属性値を、上記第５領域に記入された上記情報に対応する属性値に置き換えうる。上記特定手段が、上記修正記号が付加された上記第１領域と上記第５領域とが上記線で関連付けられることに応じて、上記線で関連付けられた上記第１領域の物理的媒体上の位置情報を上記第５領域の物理的媒体上の位置情報に置き換えることを含みうる。
【００２５】
本発明の一つの実施態様において、上記検出手段が、上記物理的媒体上に、上記修正記号が付加された上記第１領域についての項目フィールド名に対応する修正対象項目フィールド名と、当該対応する修正フィールド名に関連付けられた、情報を記入するための領域（第６領域）とがデジタルペンを用いてユーザによって記入されることを検出しうる。また、上記置き換え手段が、上記第６領域内に情報が記入されることを検出することに応じて、上記記憶手段内の上記情報中の、上記第１領域内に記入された上記情報に対応する属性値を、上記第６領域に記入された上記情報に対応する属性値に置き換えうる。
【００２６】
第３に、本発明は、ユーザがデジタルペンを用いて手書き可能な物理的媒体上の情報を修正することによって、記憶手段内に格納された情報を修正するためのコンピュータ・プログラムを提供する。コンピュータ・プログラムは、上記装置に、上記方法の各ステップを実行させる。
【００２７】
また、本発明は、そのようなコンピュータ・プログラム自体のみならず、コンピュータ・プログラムを記録した記録媒体もその範囲に含むものである。本発明の機能を実行するためのコンピュータ・プログラムは、フレキシブル・ディスク、ＭＯ、ＣＤ−ＲＯＭ、ＤＶＤ、ハードディスク装置、ＵＳＢメモリ、ＲＯＭ、ＭＲＡＭ、ＲＡＭ等の任意のコンピュータ読み取り可能な記録媒体に格納することができる。かかるコンピュータ・プログラムは、記録媒体への格納のために、通信回線で接続する他のデータ処理システムからダウンロードしたり、他の記録媒体から複製したりすることができる。また、かかるプログラムは、圧縮し、又は複数に分割して、単一又は複数の記録媒体に格納することもできる。また、様々な形態で、本発明を実施するコンピュータ・プログラム製品を提供することも勿論可能であることにも留意されたい。コンピュータ・プログラム製品は、例えば、上記のコンピュータ・プログラムを格納する記憶媒体、又は、上記のコンピュータ・プログラムを伝送する伝送媒体を含めることができる。
【００２８】
本発明の上記概要は、本発明の必要な特徴の全てを列挙したものではなく、これらの構成要素のコンビネーション又はサブコンビネーションもまた、本発明となりうることに留意すべきである。
【００２９】
本発明の実施形態において使用されるコンピュータの各ハードウェア構成要素を、複数のマシンと組み合わせ、それらに機能を配分し実施する等の種々の変更は当業者によって容易に想定され得ることは勿論である。それらの変更は、当然に本発明の思想に包含される概念である。ただし、これらの構成要素は例示であり、そのすべての構成要素が本発明の必須構成要素となるわけではない。
【００３０】
また、本発明は、ハードウェア、ソフトウェア、又は、ハードウェア及びソフトウェアの組み合わせとして実現可能である。ハードウェアとソフトウェアとの組み合わせによる実行において、上記のコンピュータ・プログラムがインストールされた装置における実行が典型的な例として挙げられる。かかる場合、該コンピュータ・プログラムが該装置のメモリにロードされて実行されることにより、該コンピュータ・プログラムは、該装置を制御し、本発明にかかる処理を実行させる。該コンピュータ・プログラムは、任意の言語、コード、又は、表記によって表現可能な命令群から構成されうる。そのような命令群は、該装置が特定の機能を直接的に、又は、１．他の言語、コード若しくは表記への変換、２．他の媒体への複製、のいずれか一方若しくは双方が行われた後に、実行することを可能にするものである。
【発明の効果】
【００３１】
本発明は、ユーザがデジタルペンを用いて手書き可能な物理的媒体上での修正が可能であるために、キーボード等の他のデバイスを必要としない。従って、本発明は、ユーザビリティに優れている。また、本発明に従う修正方法は、手書き可能な物理的媒体、例えば紙媒体として任意のものを使用可能である。従って、本発明は、使用する手書き可能な物理的媒体として種々のものを利用することができ、従って汎用性に優れている。
【図面の簡単な説明】
【００３２】
【図１】本発明の実施形態に従う装置を実現するための情報処理装置のハードウェア構成の一例を示した図である。
【図２Ａ】図１に従うハードウェア構成を好ましくは有し、本発明の一つの実施形態に従う装置の機能ブロック図である。
【図２Ｂ】図１に従うハードウェア構成を好ましくは有し、本発明の一つの実施形態に従う装置の機能ブロック図である。
【図３Ａ】本発明において使用されうる手書き可能な物理的媒体であって、１又は複数の項目フィールド名と、当該項目フィールド名に関連付けられた、情報を記入するための領域（第１領域）とを含む所定フィールドを有している例の一つを示す。
【図３Ｂ】本発明において使用されうる手書き可能な物理的媒体であって、上記所定フィールドを有している例の一つを示す。
【図３Ｃ】本発明において使用されうる手書き可能な物理的媒体であって、上記所定フィールドを有している例の一つを示す。
【図３Ｄ】本発明において使用されうる手書き可能な物理的媒体であって、本発明でいう所定フィールド及び修正フィールドを有する媒体、並びに、所定フィールドを有する媒体を示す図である。
【図３Ｅ】本発明において使用されうる手書き可能な物理的媒体であって、所定フィールド及び修正フィールドを有する媒体、並びに、所定フィールドを有する媒体を示す図である。
【図３Ｆ】本発明において使用されうる手書き可能な物理的媒体であって、所定フィールド及び修正フィールドを有する媒体、並びに、所定フィールドを有する媒体を示す図である。
【図４Ａ】本発明において使用しうる、手書き可能な物理的媒体（紙帳票の例）と装置に接続された表示装置上で表示される情報（電子帳票の例）との関係を示す図である。
【図４Ｂ】本発明において使用しうる、手書き可能な物理的媒体（紙帳票の例）と装置の記憶手段内に格納された情報（テーブルの例）との関係を示す図である。
【図４Ｃ】本発明において使用しうる、手書き可能な物理的媒体（紙帳票の例）、装置の記憶手段内に格納された情報（テーブルの例）、及び装置の記憶手段内に格納された紙帳票位置データの関係を示す図である。
【図５Ａ】本発明の一つの実施態様に従う、修正フィールドを使用して情報を修正することを示すための図である。
【図５Ｂ】図５Ａにおける修正フィールドを使用して情報を修正した後に、さらに当該情報を修正することを示すための図である。
【図６Ａ】本発明の一つの実施態様に従う、物理的媒体上に、修正対象である領域の属性値を変更するために使用される領域（以下、修正領域ともいう）を記入して、当該修正領域を使用して情報を修正することを示すための図である。
【図６Ｂ】図６Ａに示すようにして情報を修正した後に、さらに当該情報を修正することを示すための図である。
【図６Ｃ】本発明の一つの実施態様に従う、物理的媒体上に、修正対象である領域の属性値を変更するために使用される領域（修正領域）を記入して、当該修正領域を使用して情報を修正することを示すための図である。
【図６Ｄ】図６Ｃに示すようにして情報を修正した後に、さらに当該情報を修正することを示すための図である。
【図７Ａ】本発明の一つの実施態様において使用されうる、デジタルペンを用いた入力支援及びデジタルペンにより記入された修正記号の検出のための処理の基本フローチャートを示す。
【図７Ｂ】図７Ａに示す基本フローチャートのうち、デジタルペンを用いた入力支援のための処理を抜き出したフローチャートを示す。
【図７Ｃ】図７Ａに示す基本フローチャートのうち、デジタルペンにより記入された修正記号の検出処理を抜き出したフローチャートを示す。
【図８】本発明の一つの実施態様に従う、修正フィールドを使用して情報を修正するためのフローチャートを示す。
【図９Ａ】本発明の一つの実施態様に従う、物理的媒体上に、修正対象である領域の属性値を変更するために使用される領域（修正領域）を記入して、当該修正領域を使用して情報を修正するためのフローチャートを示す。
【図９Ｂ】図９Ａに示すフローチャートに関連して、情報を記入するための領域を修正フィールド内の新規に用意された領域であると定義する処理のためのフローチャートを示す。
【図９Ｃ】本発明の一つの実施態様に従う、物理的媒体上に、修正対象である領域に関連付けられた項目フィールド名を特定するために記入されるフィールド名である修正対象項目フィールド名と、上記修正対象である領域の属性値を変更するために使用される領域（修正領域）とを記入して、当該修正対象項目フィールド名及び修正領域を使用して情報を修正するためのフローチャートを示す。
【発明を実施するための形態】
【００３３】
以下、本発明を実施するための最良の形態を図面に基づいて詳細に説明するが、以下の実施形態は特許請求の範囲にかかる発明を限定するものでなく、また実施形態の中で説明されている特徴の組み合わせの全てが発明の解決手段に必須であるとは限らない。また、本発明は多くの異なる態様で実施することが可能であり、以下の実施形態において、種々の変更または改良を加えることが可能であることが当業者に明らかである。
【００３４】
以下において、特に断らない限り、発明を実施するための形態の説明の全体を通じて同じ要素には同じ番号を付している。
【００３５】
図１は、本発明の実施形態に従う装置、例えばコンピュータ、携帯情報端末（ＰＤＡ）、タブレット端末、スマートフォン、ゲーム端末、インターネット・テレビ及び販売時点管理（ＰＯＳ）システムを実現するための情報処理装置のハードウェア構成の一例を示した図である。
装置（１０１）は、ＣＰＵ（１０２）とメイン・メモリ（１０３）とを備えており、これらはバス（１０４）に接続されている。ＣＰＵ（１０２）は好ましくは、３２ビット又は６４ビットのアーキテクチャに基づくものであり、例えば、インテル社のＣｏｒｅ  ｉ（商標）シリーズ、Ｃｏｒｅ  ２（商標）シリーズ、Ａｔｏｍ（商標）シリーズ、Ｘｅｏｎ（商標）シリーズ、Ｐｅｎｔｉｕｍ（登録商標）シリーズ、若しくはＣｅｌｅｒｏｎ（登録商標）シリーズ、ＡＭＤ社のＯｐｔｅｒｏｎ（商標）シリーズ、Ｐｈｅｎｏｍ（商標）シリーズ、Ａｔｈｌｏｎ（商標）シリーズ、Ｔｕｒｉｏｎ（商標）シリーズ、Ｓｅｍｐｒｏｎ（商標）若しくはＡシリーズ、又は、ＮＶＩＶＡ社のＴｅｇｒａ（商標）モバイル・プロセッサが使用されうる。バス（１０４）には、ディスプレイ・コントローラ（１０５）を介して、ディスプレイ（１０６）、例えば液晶ディスプレイ（ＬＣＤ）が接続されうる。ディスプレイ（１０６）は、装置（１０１）内に埋め込まれていてもよい。また、ディスプレイ（１０６）は、装置（１０１）に有線的に又は無線的に接続されうる。バス（１０４）にはまた、ＳＡＴＡ又はＩＤＥコントローラ（１０７）を介して、ディスク（１０８）、例えばシリコン・ディスク又はハードディスクと、ドライブ（１０９）、例えばＣＤ、ＤＶＤ又はＢＤドライブとが接続されうる。バス（１０４）にはさらに、キーボード・マウスコントローラ（１１０）又はＵＳＢバス（図示せず）を介して、キーボード（１１１）及びマウス（１１２）が接続されうる。
【００３６】
ディスク（１０８）には、オペレーティング・システム、Ｊ２ＥＥなどのＪａｖａ（登録商標）処理環境、Ｊａｖａ（登録商標）アプリケーション、Ｊａｖａ（登録商標）仮想マシン（ＶＭ）、Ｊａｖａ（登録商標）実行時（ＪＩＴ）コンパイラを提供するプログラム、その他のプログラム、及びデータが、メイン・メモリにロード可能に記憶されている。また、ディスク（１０８）には、文章の入力乃至は編集を可能にするソフトウェア、文字変換処理ソフトウェアであるフロント・エンド・プロセッサ（ＦＥＰ）がメイン・メモリにロード可能に記憶されている。オペレーティング・システムは、例えば、マイクロソフト・コーポレーションが提供するＷｉｎｄｏｗｓ（登録商標）オペレーティング・システム、アップル・コンピュータ・インコーポレイテッドが提供するＭａｃＯＳ（登録商標）若しくはｉＯＳ（登録商標）、Ｘ  Ｗｉｎｄｏｗ  Ｓｙｓｔｅｍを備えるＵＮＩＸ（登録商標）系システム（たとえば、インターナショナル・ビジネス・マシーンズ・コーポレーション（登録商標）が提供するＡＩＸ（登録商標））、その他Ａｎｄｒｏｉｄ（登録商標）のような、グラフィカル・ユーザ・インターフェース（ＧＵＩ）マルチウィンドウ環境をサポートするオペレーティング・システムでありうる。
【００３７】
ドライブ（１０９）は、必要に応じて、ＣＤ−ＲＯＭ、ＤＶＤ−ＲＯＭ又はＢＤからプログラムをディスク（１０８）にインストールするために使用される。
【００３８】
通信インタフェース（１１４）は、例えばイーサネット（登録商標）・プロトコルに従う。通信インタフェース（１１４）は、通信コントローラ（１１３）を介してバス（１０４）に接続され、装置（１０１）を通信回線（１１５）に物理的に接続する役割を担い、装置（１０１）のオペレーティング・システムの通信機能のＴＣＰ／ＩＰ通信プロトコルに対して、ネットワーク・インタフェース層を提供する。なお、通信回線は、有線ＬＡＮ環境、又は例えばＩＥＥＥ８０２．１１ａ／ｂ／ｇ／ｎなどの無線ＬＡＮ接続規格に基づく無線ＬＡＮ環境であってもよい。また、通信インターフェースは、ブルートゥース又は赤外線通信の機能を備えうる。
【００３９】
以上の説明により、本発明の実施の形態に従うコンピュータは、通常のパーソナル・コンピュータ、ワークステーション、メインフレームなどのコンピュータ、または、これらの組み合わせを含むシステムによって実現されうる。また、本発明の実施の形態に従う携帯情報端末（ＰＤＡ）及びタブレット端末は、携帯可能なコンピュータでありうる。また、本発明の実施の携帯に従う販売時点管理（ＰＯＳ）システムは、上記の通常のコンピュータ上にＰＯＳシステム用のソフトウェアをインストールすることによって実現されうる。
【００４０】
以上から、本発明の実施の形態において使用される装置は、特定のオペレーティング・システム環境に限定されるものではないことを理解することができるであろう。
【００４１】
図２Ａは、図１に従うハードウェア構成を好ましくは有し、本発明の一つの実施形態に従う装置の機能ブロック図である。
本発明を実施するために、装置（１０１）及び当該装置（１０１）と通信可能なデジタルペン（２４１）が用いられる。
【００４２】
装置（１０１）は、図１に従うハードウェア構成を有しうる。装置（１０１）は、中継手段（２３１）を介してデジタルペン（２４１）と無線で又は有線で通信しうる。
【００４３】
装置（１０１）は、通信手段（２０１）、検出手段（２０２）、特定手段（２０３）、置き換え手段（２０４）、メモリ（２０５）、及び記憶装置（２０６）を備えうる。
【００４４】
通信手段（２０１）は、有線又は無線で、中継手段（２３１）に接続されうる。通信手段（２０１）は、中継手段（２３１）を介して、デジタルペン（２４１）から情報又は命令を受け取り、又は、デジタルペン（２４１）に情報又は命令を送る。通信手段（２０１）は、中継手段（２３１）との間の通信が無線で行われる場合、ブルートゥース又は赤外線通信の送受信機能を備えうる。また、通信手段（２０１）は、中継手段（２３１）を介して受け取ったデジタルペン（２４１）からの情報を検出手段（２０２）に渡す。
【００４５】
検出手段（２０２）は、記入情報検出手段（２１１）、ＯＣＲ（Optical Character Recognition）手段／位置情報検出手段（２１２）、及び修正記号検出手段（２１３）を備えうる。
【００４６】
記入情報検出手段（２１１）は、ユーザがデジタルペン（２４１）を使用して物理的媒体上に記入したデータ、すなわちデジタルペン（２４１）のペン先の移動軌跡データを取得し、当該取得した情報をＯＣＲ手段／位置情報検出手段（２１２）及び修正記号検出手段（２１３）に渡す。
【００４７】
ＯＣＲ手段／位置情報検出手段（２１２）は、記入情報検出手段（２１１）から渡されたデジタルペン（２４１）からの情報に基づいて、物理的媒体上に記入された文字若しくは数字をテキスト化し又は図形を認識し（ＯＣＲ手段）、且つ、デジタルペン（２４１）からの情報に基づいて、デジタルペン（２４１）が物理的媒体上のどこに位置しているかの位置情報（以下、デジタルペンの位置情報ともいう）を検出し乃至は計算する（位置情報検出手段）。デジタルペン（２４１）からの情報は、例えば、デジタルペン（２４１）のペン先の動き（すなわち軌跡）でありうる。ＯＣＲ手段は、当業者に知られている技術を任意に使用しうる。ＯＣＲ手段と位置情報検出手段とは一体でなくてもよい。
【００４８】
ＯＣＲ手段／位置情報検出手段（２１２）は、装置（１０１）ではなく、デジタルペン（２４１）それ自体が備えていてもよい（２５２）。
【００４９】
修正記号検出手段（２１３）は、記入情報検出手段（２１１）から渡されたデジタルペン（２４１）からの情報に基づいて、デジタルペン（２４１）によるユーザ記入が修正記号であるかどうかを判定する。修正記号は、例えば、取り消し線（一重線、二重線など）、×マーク、及び波マークなどでありうる。ユーザは、どのような修正記号を使用するかを予め指定することができ、又は、上記に示す複数の修正記号を任意に組み合わせて使用することも可能である。
【００５０】
特定手段（２０３）は、デジタルペン（２４１）を用いて修正記号が手書き可能な物理的媒体上に付加されることを検出することに応じて、修正記号が付加されたときのデジタルペン（２４１）の位置情報に基づいて、物理的媒体上のどの項目フィールド名に関連付けられた第１領域内に記入された情報が修正されうるかを特定する。
【００５１】
置き換え手段（２０４）は、メモリ（２０５）に格納されている情報、例えば記憶装置（２０６）中に格納されたデータベース（２２４）中の又はメモリ（２０５）中に格納された一時テーブル（２１４）中の属性値（第１領域内に記入された情報に対応する属性値）を、修正された情報に対応する属性値（例えば、第２領域内に記入された情報に対応する属性値）に置き換える。一時テーブル（２１４）は、データベース（２２４）の全部又は一部でありうる。すなわち、置き換え手段（２０４）は、メモリ（２０５）に格納されている情報である修正前の属性値を、修正後の属性値に更新する。「記入された情報」とは、デジタルペンによって記入された情報であり、例えば文字、数字又は図形でありうる。「記入された情報に対応する属性値」とは、デジタルペンによって記入された情報をテキスト化したもの、又は当該テキスト化したものをデータベース保存のために変換したものである。デジタルペンによって記入された情報をテキスト化したものとは、例えば、電子化された文字又は数字である。当該テキスト化したものをデータベース保存のために変換したものとは、例えばテキスト化されたデータが日付である場合に、当該日付をシリアル値に変更したものであり、あるいは、特定の文字列を別の文字列又は数値に変換したものでありうる。
【００５２】
メモリ（２０５）は、記憶装置（２０６）中に格納されている情報、例えばデータベース（２２４）の全部又は一部である一時テーブル（２１４）を格納しうる。また、メモリ（２０５）は、紙帳票位置データ（下記図４Ｃを参照）を格納しうる。メモリ（２０５）は、例えば、半導体メモリでありうる。
【００５３】
記憶装置（２０６）は、装置（１０１）の中に備えられている（すなわち埋め込まれている）か、又は、ケーブルを介して、又は、有線若しくは無線のイントラネットワーク若しくはインターネットワークを介して装置（１０１）に接続されうる。記憶装置（２０６）は、例えば、ハードディスク・ドライブ（ＨＤＤ）又はソリッド・ステート・ドライブ（ＳＳＤ）でありうる。
【００５４】
記憶装置（２０６）は、手書き可能な物理的媒体の位置情報（２２１）（以下、位置情報（２２１）ともいう）、辞書（２２２）、及びデータベース（２２４）を格納しうる。また、記憶装置（２０６）は、紙帳票位置データ（下記図４Ｃを参照）を格納しうる。
【００５５】
本明細書において、記憶手段という場合、メモリ（２０５）及び記憶装置（２０６）を包含し、いずれかに限定されるものではないことに留意されたい。
【００５６】
位置情報（２２１）は、手書き可能な物理的媒体上にある項目フィールド名が記入されている領域（以下、項目フィールド名領域ともいう）、及び当該項目フィールド名に関連付けられた、情報を記入するための領域の各位置情報を格納しうる。代替的に、位置情報（２２１）は、上記項目フィールド名に関連付けられた、情報を記入するための領域の位置情報だけを格納しうる。
【００５７】
辞書（２２２）は、ＯＣＲ手段によって文字を認識する際に使用される単語辞書である。辞書（２２２）は、当業者によって知られている方法により作成されたものでありうる。
【００５８】
データベース（２２４）は、手書き可能な物理的情報上の項目フィールド名、及び、当該項目フィールド名に関連付けられた、情報を記入するための領域内に記入された文字又は数字を格納する。なお、本発明において、情報を記入するための領域内に記入された文字又は数字は、データベースでなく、単なるデータの羅列形式（例えば、テキスト形式及びＣＳＶ形式）としてファイル又はメモリ中に格納されてもよい。
【００５９】
デジタルペン（２４１）は、手書き可能な物理的媒体上に文字若しくは数字又は図形などを直接記入することが可能なペン先を有するペンである。装置（１０１）は、デジタルペン（２４１）が移動することで、デジタルペンのペン先（例えば、ボールペンでありうる）の位置を、例えばソナーでトラッキングし、上記物理的媒体上での書き込みと同時に、書き込まれた内容を電子化することが可能である。デジタルペン（２４１）は、例えば、ＭＶＰｅｎテクノロジーズ株式会社から発売されているＭＶペン（商標）、ぺんてる株式会社から発売されているａｉｒｐｅｎ（商標）、ゼブラ株式会社から発売されているＴｅｇａｋｉＰＡＤ（商標）、及び、ワコム株式会社から発売されているＩｎｋｌｉｎｇ（商標）などを任意に使用しうる。
【００６０】
デジタルペン（２４１）は、通信手段（２５１）、及び、任意的に、ＯＣＲ手段／位置情報検出手段（２５２）を有しうる。また、デジタルペン（２４１）は、小型の液晶画面を備えうる。当該液晶画面は、装置（１０１）からのメッセージ、例えばエラーメッセージを表示しうる。また、デジタルペン（２４１）は、当該デジタルペンを振動させるための振動装置（図示せず）を備えうる。当該振動装置は、装置（１０１）からのメッセージに応じて、例えばエラーメッセージを受信することに応じて振動を発しうる。また、デジタルペン（２４１）は、音を発するためのスピーカーを備えうる。当該スピーカーは、装置（１０１）からのメッセージ、例えばエラーメッセージを通知しうる。
【００６１】
通信手段（２５１）は、中継手段（２３１）を介して、そのペン先の軌跡データを装置（１０１）に送信する。また、通信手段（２５１）は、中継手段（２３１）を介してデジタルペン（２４１）からの命令を送信する。また、通信手段（２５１）は、中継手段（２３１）を介して、装置（１０１）から情報又は命令を受信する。
【００６２】
ＯＣＲ手段／位置情報検出手段（２５２）は、デジタルペン（２４１）が読み取った情報に基づいて、物理的媒体上に記入された文字若しくは数字をテキスト化し又は図形を認識し（ＯＣＲ手段）、且つ、デジタルペン（２４１）の位置情報に基づいて、デジタルペン（２４１）が物理的媒体上のどこに位置しているかの位置情報（デジタルペンの位置情報）を検出し乃至は計算する（位置情報検出手段）。ＯＣＲ手段は、当業者に知られている技術を任意に使用しうる。ＯＣＲ手段と位置情報検出手段とは一体でなくてもよい。デジタルペン（２４１）は、例えばアノトペンでありうる。
【００６３】
デジタルペン（２４１）は、その先にペン先を有する。ペン先は、手書き可能な物理的媒体上に文字、数字又は図形等を記入できるペン先であればよい。ペン先は、例えば、ボールペン、情報処理端末の画面上に文字、数字又は図形等を記入できるペンでありうる。手書き可能な物理的媒体は、例えば、紙媒体、電子紙媒体、情報処理端末の手書き可能な画面を備える情報処理端末でありうる。紙媒体に関して、その上に文字を書ければ特にその紙質などの特性は問題ではない。電子紙媒体は、例えば電子メモパッドであり、例えば感圧式の液晶画面を備えた電子機器である。電子紙媒体は、例えば、アメリカ合衆国のKent Displaysの子会社であるiMPROV ELECTRONICSが販売している電子メモパッド「ブギーボード」（Boogie Board）（登録商標）でありうる。情報処理端末の手書き可能な画面を備える情報処理端末は、携帯情報端末、例えばタブレット端末及びＰＤＡでありうる。
【００６４】
中継手段（２３１）は、例えば、デジタルペン（２４１）のペン先から発信された赤外線（光）と超音波（音）とを受信し、ペン先の動きを求めて、当該求めたデータ（ペン先の動きの軌跡データでありうる）をデジタルペンの情報としうる。中継手段（２３１）は、独立したハードウェアである中継装置又は中継モジュールでありうる。中継手段（２３１）は、当該デジタルペンの情報を装置（１０１）に送信する。中継手段（２３１）は、デジタルペン（２４１）のペン先から発信された赤外線（光）と超音波（音）を受信するための赤外線センサと超音波センサとを有しうる。中継手段（２３１）は、例えば物理的媒体の左上隅の所定欄にクリップで留められる。好ましくは、物理的媒体の左上隅の所定欄に、クリップを止めるための位置が印刷されている。
【００６５】
装置（１０１）は、例えば、電子帳票システムでありうる。電子帳票システムは、例えば、インターナショナル・ビジネス・マシーンズ・コーポレーション（登録商標）から販売されているTivoli（登録商標） Service Request Manager、又は、Maximo（登録商標） Asset Managementでありうる。
【００６６】
図２Ｂは、図１に従うハードウェア構成を好ましくは有し、本発明の一つの実施形態に従う装置の機能ブロック図である。
図２Ｂに示す態様は、図２Ａと異なり、デジタルペン（２４１）が装置（１０１）と直接通信しうる態様である。図２Ｂに示す装置（１０１）、例えば通信手段（２０１）は、図２Ａに示す中継手段（２３１）の機能を備えうる。図２Ｂに示す態様は、上記点以外は、図２Ａにおける構成と同じである。
【００６７】
図３Ａは、本発明において使用されうる手書き可能な物理的媒体であって、所定フィールドを有している例の一つを示す。
図３Ａに示す手書き可能な物理的媒体（３０１）は紙帳票の例であり、在庫管理のための帳票である。
【００６８】
本発明で使用しうる物理的媒体（３０１）は、所定フィールドを有しており、当該所定フィールドは、１又は複数の項目フィールド名と、当該項目フィールド名に関連付けられた、情報を記入するための領域（第１領域）とを含む。項目フィールド名は、数字、記号、若しくは文字、又はそれらの組み合わせ、あるいは、意味をなすタイトルでありうる。項目フィールド名が記入される領域は、好ましくは、四角形、例えば長方形又は正方形によって手書き可能な物理的媒体（３０１）上に所定の領域（項目フィールド名領域という）が設定されている。ただし、項目フィールド名が記入される領域が四角形で明示されている必要はない。項目フィールド名に関連付けられた領域（第１領域）は、当該第１領域にデジタルペン（２４１）を用いて、ユーザが情報を記入する欄である。当該第１領域は、好ましくは、手書き可能な物理的媒体（３０１）上に四角形によって所定の領域が設定されている。
【００６９】
図３Ａにおいて、項目フィールド名は、その一部を列挙すると、例えば「部品」、「保管場所」、「ロット・タイプ」及び「出庫単位」である。図３Ａにおいて、第１領域に記載されている情報は、その一部を列挙すると、例えば「蛍光灯36形」、「中央保管場所」、「ロットなし」及び「各」である。
【００７０】
図３Ｂは、本発明において使用されうる手書き可能な物理的媒体であって、所定フィールドを有している例の一つを示す。
図３Ｂに示す手書き可能な物理的媒体（３０２）は紙帳票の例であり、作業指示のための管理票である。
【００７１】
図３Ｃは、本発明において使用されうる手書き可能な物理的媒体であって、所定フィールドを有している例の一つを示す。
図３Ｃに示す手書き可能な物理的媒体（３０３）は紙帳票の例であり、作業指示のための管理票である。
【００７２】
図３Ｄは、本発明において使用されうる手書き可能な物理的媒体であり、本発明でいう所定フィールド及び修正フィールドを有する物理的媒体（３１１）、並びに、所定フィールドを有する物理的媒体（３２１）を示す図である。
【００７３】
図３Ｄの左側に示す物理的媒体（３１１）は所定フィールド（３１２）と修正フィールド（３１３）とを有している。所定フィールド（３１２）は、１又は複数の項目フィールド名を記入するための項目フィールド名領域（左側）と、当該項目フィールド名領域それぞれに関連付けられた、情報を記入するための（第１領域）（右側）とを含む。１つの項目フィールド名領域は、１又は複数の第１領域に関連付けられていてもよい。項目フィールド名領域は、例えば四角形、例えば長方形若しくは正方形でユーザに視認可能であるように、又は、ユーザに視認可能でないが予め記入された項目フィールド名を囲む所定範囲の領域として特定されうる。同様に、第１領域は、例えば四角形でユーザに視認可能であるように特定されうる。従って、項目フィールド名領域とそれに関連付けられた第１領域は、２つの四角形が横方向に又は縦方向に繋ぎ合わされていてもよく（すなわち、連結されていてもよく）、又は、近接した位置に離れて配置されていてもよい。図３Ｄに示す物理的媒体（３１１）では、所定フィールド（３１２）は、項目フィールド名領域及びそれに関連付けられた第１領域の４組を有している。修正フィールド（３１３）は、物理的媒体（３１１）上の、所定フィールド（３１２）と異なる領域に設定されうる。すなわち、修正フィールド（３１３）として設定された領域外が所定フィールド（３１２）であるといえる。図３Ｄでは、修正フィールド（３１３）は点線で特定されている。修正フィールド（３１３）の特定（又は設定）は、ユーザが所定フィールド（３１２）と区別できる態様であれば何ら制限されない。修正フィールド（３１３）は、例えば上記した点線以外に実線でもよく、あるいは、予め色づけ（例えば、薄い黄色）されていてもよい。修正フィールド（３１３）は、物理的媒体（３１１）上に予め印刷されていてもよく、又は、ユーザによって動的にデジタルペン（２４１）によって記入されることで設定されてもよい。修正フィールド（３１３）は、上記第１領域中に記入された情報を、デジタルペン（２４１）を使用して修正するために使用される。物理的媒体（３１１）において第１領域中に記入された情報を、デジタルペン（２４１）を使用して修正をする方法を、下記図８の説明において詳述する。
【００７４】
図３Ｄの右側に示す物理的媒体（３２１）は、所定フィールド（３２２）を有している。所定フィールド（３２２）は、１又は複数の項目フィールド名を記入するための項目フィールド名領域（左側）と、当該項目フィールド名領域それぞれに関連付けられた、情報を記入するための（第１領域）（右側）とを含む。項目フィールド名領域及び上記第１領域については、上記した物理的媒体（３１１）で述べた通りである。図３Ｄに示す物理的媒体（３２１）では、所定フィールド（３２２）は、項目フィールド名領域及びそれに関連付けられた第１領域の６組を有している。図３Ｄの右側に示す物理的媒体（３２１）は、図３Ｄの左側に示す物理的媒体（３１１）と異なり、修正フィールドを有していない。物理的媒体（３２１）において第１領域中に記入された情報を、デジタルペン（２４１）を使用して修正する方法を、下記図９Ａ〜９Ｄの説明において詳述する。
【００７５】
図３Ｅは、本発明において使用されうる手書き可能な物理的媒体であって、所定フィールド及び修正フィールドを有する媒体、並びに、所定フィールドを有する媒体を示す図である。
【００７６】
図３Ｅの上側に示す物理的媒体の例は、図３Ａに示す物理的媒体（３０１）と同じである。物理的媒体（３０１）は、所定フィールド（３３１）及び（３３２）、並びに、修正フィールド（３３３）を有している。ユーザは、物理的媒体（３０１）上の修正フィールド（３３３）中に、情報を記入するための領域（第３領域）を予め記入又は印刷しておくことが可能である。代替的に、ユーザは、物理的媒体（３０１）上の修正フィールド（３３３）中に、情報を記入するための領域（第４領域）を、デジタルペン（２４１）を用いて記入することで動的に設定することが可能である。
【００７７】
図３Ｅの下側に示す物理的媒体の例は、図３Ｂに示す物理的媒体（３０２）と同じである。物理的媒体（３０２）は、所定フィールド（３４１）〜（３４４）を有している。しかし、物理的媒体（３０２）は、修正フィールドを有していない。ユーザは、物理的媒体（３０２）上の所定フィールド（３４１）中の余白内に、情報を記入するための領域（第５領域又は第６領域）を、デジタルペン（２４１）を用いて記入することによって設定することが可能である。
【００７８】
図３Ｆは、本発明において使用されうる手書き可能な物理的媒体であって、所定フィールド及び修正フィールドを有する媒体、並びに、所定フィールドを有する媒体を示す図である。
図３Ｆの上側に示す物理的媒体の例は、図３Ｃに示す物理的媒体（３０３）と同じである。物理的媒体（３０３）は、所定フィールド（３５１）〜（３５４）を有している。しかし、物理的媒体（３０３）は、修正フィールドを有していない。ユーザは、物理的媒体（３０３）上の所定フィールド（３５１）及び（３５３）の余白内に及び所定フィールド（３５４）中に、情報を記入するための領域（第５領域又は第６領域）を、デジタルペン（２４１）を用いて記入することによって設定することが可能である。
【００７９】
図３Ｆの下左側及び同右側に示す手書き可能な物理的媒体（３６１）及び（３７１）の例はいずれも紙帳票の例であり、請求書のための帳票である。
【００８０】
物理的媒体（３６１）は、所定フィールド（３６２）を有しており、当該所定フィールド（３６２）は、「請求書受領日」、「送金予定日」、「送金先」及び「送金額」という項目フィールド名と、当該当該項目フィールド名それぞれに関連付けられた、「2011/11/03」、「2011/11/05」、「XXX株式会社」、及び「50,000円」という情報が記入された領域（第１領域）とを含んでいる。また、物理的媒体（３６１）は、修正フィールド（３６３）を含む。修正フィールド（３６３）は、１つ又は複数の修正フィールド名（３６４）を有する。修正フィールド名は、例えば、数字、記号若しくは文字、又はそれらの組み合わせでありうる。また、修正フィールド（３６３）は、上記修正フィールド名（３６４）それぞれに関連付けられた、情報を記入するための領域（３６５）をさらに有しうる。情報を記入するための領域（３６５）は、予め物理的媒体（３６１）上に印刷されていてもよく、又は、ユーザによってデジタルペン（２４１）を使用して、修正フィールド（３６３）内に動的に記入されてもよい。物理的媒体（３６１）において第１領域中に記入された情報を、デジタルペン（２４１）を使用して修正する方法を、下記図５Ａ及び図８の説明において詳述する。
【００８１】
物理的媒体（３７１）は、所定フィールド（３７２）を有しており、当該所定フィールド（３７２）は、物理的媒体（３６１）と同じ項目フィールド名（「請求書受領日」、「送金予定日」、「送金先」及び「送金額」）と、当該当該項目フィールド名それぞれに関連付けられた、情報が記入された領域（第１領域）とを含んでいる。しかし、物理的媒体（３７１）は、修正フィールドを有していない。物理的媒体（３７１）において第１領域中に記入された情報を、デジタルペン（２４１）を使用して修正する方法を、下記図６Ａ〜図６Ｄ、及び、図９Ａ〜図９Ｄの説明において詳述する。
【００８２】
図４Ａは、本発明において使用しうる、手書き可能な物理的媒体の例である紙帳票（４０１）と、装置（１０１）に接続された表示装置（１０６）上で表示される情報（電子帳票の例）（４０３）との関係を示す図である。
紙帳票（４０１）には、中継手段（２３１）が付されている。
【００８３】
紙帳票（４０１）は、項目フィールド名（４１１−１〜４１１−ｎ）（ｎは整数である）と、項目フィールド名（４１１−１〜４１１−ｎ）それぞれに関連付けられた、情報を記入するための領域（４１２−１〜４１２−ｎ）（第１領域）とを有している。各項目フィールド名（４１１−１〜４１１−ｎ）と、それに対応する第１領域に記入された情報（４１２−１〜４１２−ｎ）は、記憶装置（２０６）中に、例えばデータベース（２２４）として、又は、メモリ（２０５）中に、例えばレコードとして格納されうる。代替的には、第１領域に記入された情報（４１２−１〜４１２−ｎ）は、ＣＳＶ形式、カンマ形式などのテキスト形式、アプリケーションに特有の保存形式で保存されうる。また、紙帳票（４０１）は、当該１つの紙帳票を識別するための帳票番号（４１５）を有しうる。帳票番号（４１５）は、例えば、紙帳票（４０１）の四隅のいずれかに記入又は印刷されうる。帳票番号（４１５）ごとに、１枚の帳票が存在しうる。
【００８４】
データベース（２２４）は、テーブル（４０２）を含む。テーブル（４０２）は、１つ又は複数のレコード１〜Ｎ（Ｎは整数である）を保存する。レコード１〜Ｎそれぞれは、１つの紙帳票に対応する。下記では、レコード１が、紙帳票（４０１）のレコードに対応するとして説明をする。また、レコードの詳細を、下記図４Ｂの説明において詳述する。
【００８５】
各レコード１〜Ｎに記憶されたレコードの内容は、任意的に、表示装置（１０６）上において、各電子帳票（４０３）の内容として表示されうる。電子帳票（４０３）の各項目名（４１３−１〜４１３−ｎ）は、物理的媒体である紙帳票（４０１）に記入された各項目フィールド名（４１１−１〜４１１−ｎ）をテキスト化した情報（項目フィールド名に対応する属性値である）である。電子帳票（４０３）の各情報（４１４−１〜４１４−ｎ）は、物理的媒体（４０１）上の第１領域に記入された情報（４１２−１〜４１２−ｎ）をテキスト化した情報（第１領域内に記入された情報に対応する属性値である）である。
【００８６】
図４Ｂは、本発明において使用しうる、手書き可能な物理的媒体の例である紙帳票（４０１）と、装置（１０１）の記憶手段（２０５、２０６）内に格納された情報（テーブルの例）（４０２）との関係を示す図である。
図４Ｂに示す紙帳票（４０１）は、図４Ａに示す紙帳票（４０１）と同じである。
【００８７】
レコード１（４２１−１）は、紙帳票（４０１）の帳票番号（４１５）に対応する属性名０「帳票番号」、並びに、紙帳票（４０１）の各項目フィールド名（４１１−１〜４１１−ｎ）に対応する属性名１〜属性名ｎ（ｎは整数である）（４２２−１〜４２２−ｎ）を有する。属性名０「帳票番号」は、データベース用語でいう主キーに該当する。図４Ｂの場合、レコード１（４２１−１）の属性名１（４２２−１）は、紙帳票（４０１）上の項目フィールド名（４１１−１）である「請求書受領日」であり、属性名２（４２２−２）は、項目フィールド名（４１１−２）である「送金予定日」であり、属性名３（４２２−３）は、項目フィールド名（４１１−３）である「送金先」であり、及び、属性名４（４２２−４）は、項目フィールド名（４１１−４）である「送金額」である。
【００８８】
レコード１（４２１−１）は、紙帳票（４０１）の帳票番号（４１５）、並びに、紙帳票（４０１）の各第１領域（４１２−１〜４１２−ｎ）に記入された情報に対応する属性値（４２２−１〜４２２−ｎ）を含む。レコード１（４２１−１）の属性名１（４２２−１）の属性値は、第１領域（４１２−１）に記入された情報に対応する属性値「2011/11/03」であり、レコード１（４２１−１）の属性名２（４２２−２）の属性値は、第１領域（４１２−２）に記入された情報に対応する属性値「2011/11/05」であり、レコード１（４２１−１）の属性名３（４２２−３）の属性値は、第１領域（４１２−３）に記入された情報に対応する属性値「ＸＸＸ株式会社」であり、及び、レコード１（４２１−１）の属性名４（４２２−４）の属性値は、第１領域（４１２−４）に記入された情報に対応する属性値「50,000」である。
【００８９】
図４Ｃは、本発明において使用しうる、手書き可能な物理的媒体の例である紙帳票（４０１）、装置（１０１）の記憶手段（２０５、２０６）内に格納された情報（テーブルの例）、及び装置（１０１）の記憶手段（２０５、２０６）内に格納された紙帳票位置データ（テーブルの例）の関係を示す図である。
図４Ｃに示す紙帳票（４０１）は、図４Ａに示す紙帳票（４０１）と同じである。紙帳票（４０１）の横軸をＸ軸、及びその縦軸をＹ軸とする。
【００９０】
紙帳票位置データ（４０３）は、テーブル（４０２）レコードごとに作成されうる。紙帳票位置データ（４０３）の各レコード１〜ｎ（４３１−１〜４３１−ｎ）は、フィールド名（４３２−２）と入力位置（４３３−１〜４３３−３）とを紐付けるために持っているデータである。紙帳票位置データ（４０３）の各レコード（４３１―１〜４３１−ｎ）は、フィールド番号（４３３−１）、及びに、紙帳票（４０１）の各項目フィールド名（４１１−１〜４１１−ｎ）の一つに対応するフィールド名（４３２−２）、並びに、紙帳票（４０１）の各第１領域（４１２−１〜４１２−ｎ）の各物理的位置（４３３−１〜４３３−３）を格納する。フィールド番号（４３３−１）は、データベース用語でいう主キーに該当する。各フィールド名（４３２−２）は、紙帳票位置データ（４０３）の各属性名１（４３１−１）〜属性名ｎ（４３１−ｎ）に対応する。各物理的位置（４３３−１〜４３３−３）はフィールド名（４３２−２）に対応する、紙帳票（４０１）上の物理的位置であり、例えば、Ｘ始点（４３３−１）、Ｘ終点（４３３−２）、Ｙ始点（４３３−３）及びＹ終点（４３３−４）として表されうる。
【００９１】
上記第１の領域が紙帳票に印刷されている場合、そのＸ始点（４３３−１）、Ｘ終点（４３３−２）、Ｙ始点（４３３−３）及びＹ終点（４３３−４）は、紙帳票位置データ（４０３）中に予め登録されうる。当該位置は、例えば、印刷した紙帳票をＯＣＲにかけて各座標を求めることによって、又は、デジタルペン（２４１）を用いて、上記第１の領域をなぞることによって、若しくは、各第１の領域（４１２−１〜４１２−ｎ）の四隅をデジタルペン（２４１）でポイントすることによって、特定されうる。
【００９２】
また、上記第１の領域（４１２−１〜４１２−ｎ）が紙帳票に印刷されていない場合でも、デジタルペン（２４１）を用いて上記第１の領域（４１２−１〜４１２−ｎ）が記入される場合、そのＸ始点（４３３−１）、Ｘ終点（４３３−２）、Ｙ始点（４３３−３）及びＹ終点（４３３−４）が計算されて、紙帳票位置データ（４０３）中に動的に登録されうる。
【００９３】
なお、図４Ｃでは、紙帳票位置データ（４０３）は、紙帳票（４０１）の各第１領域（４１２−１〜４１２−ｎ）についてのＸ始点（４３３−１）、Ｘ終点（４３３−２）、Ｙ始点（４３３−３）及びＹ終点（４３３−４）をレコード１〜レコードｎとして格納している。紙帳票位置データ（４０３）は、さらに、項目フィールド名又は項目フィールド名領域のＸ始点及び終点並びにＹ始点及び終点；所定フィールドのＸ始点及び終点並びにＹ始点及び終点；当該所定フィールド中に設定された、情報を記入するための領域（第５領域又は第６領域）のＸ始点及び終点並びにＹ始点及び終点、及び当該所定フィールド領域に関連付けられた、修正フィールド名の領域のＸ始点及び終点並びにＹ始点及び終点；並びに、修正フィールドのＸ始点及び終点並びにＹ始点及び終点；当該修正フィールド中に設定された、情報を記入するための領域（第３領域又は第４領域）のＸ始点及び終点並びにＹ始点及び終点、及び当該修正フィールド領域に関連付けられた、修正フィールド名の領域のＸ始点及び終点並びにＹ始点及び終点を格納しうる。例えば、紙帳票（４０１）が、図３Ｆに示す紙媒体（３６１）である場合、すなわち、紙帳票（４０１）が修正フィールドを有する場合、紙帳票位置データ（４０３）は、フィールド名（４３２−１）が空であり、修正フィールド名に関連付けられた、情報を記入するための領域（３６５）のＸ始点（４３３−１）、Ｘ終点（４３３−２）、Ｙ始点（４３３−３）及びＹ終点（４３３−４）を格納しているレコードをさらに有しうる。
【００９４】
図５Ａは、本発明の一つの実施態様に従う、修正フィールドを使用して情報を修正することを示すための図である。
図５Ａに示す紙帳票（４０１）は、図３Ｆに示す紙帳票（３６１）と同じである。紙帳票（４０１）は、所定フィールド（５０１）と修正フィールド（５０２）とを有している。紙帳票（４０１）には、中継手段（２３１）が取り付けられている。
【００９５】
ユーザは、項目フィールド名「請求書受領日」に対応する情報として記入されている「2011/11/03」という記載を「2011/11/04」に修正したいとする。ユーザは、当該修正のために、デジタルペン（２４１）を用いて、下記操作（１ａ）〜（５ａ）を行う。
【００９６】
（１ａ）  ユーザは、デジタルペン（２４１）を用いて、「2011/11/03」上に、又は、「2011/11/03」が記入されている第１領域（４１２−１）内に、取り消し線、例えば二重線「＝」又は×マークを記入する。
【００９７】
（２ａ）  次に、ユーザは、デジタルペン（２４１）を用いて、項目フィールド名「請求書受領日」が記載された項目フィールド名領域又は第１領域（４１２−１）に隣接して又はその近傍に、四角（５１１）を記入する。四角（５１１）の大きさは、下記操作（３ａ）に示すように、修正フィールド名を特定するための番号「１」が記入できる大きさであれば特に制限されない。
【００９８】
（３ａ）  次に、ユーザは、デジタルペン（２４１）を用いて、四角（５１１）内に、修正フィールド（５０２）上の修正フィールド名を特定するための番号「１」を記入する。当該番号が記入されることによって、第１領域（４１２−１）と、上記特定された修正フィールド名「１」に関連付けられた領域（５１２）とが関連付けられる。例えば、一態様として、項目フィールド名「請求書受領日」の属性値を記入する欄が、第１領域（４１２−１）から、上記特定された修正フィールド名「１」に関連付けられた領域（５１２）に変更されたとみなすことができる。上記関連付けは、例えば、図４Ｃに示す紙帳票データ（４０３）のレコード１の属性名１の各座標値（Ｘ始点、Ｘ終点、Ｙ始点及びＹ終点）が、第１領域の座標値から、上記特定された修正フィールド名「１」に関連付けられた領域（５１２）の座標値に置き換えられることによって行われうる。
【００９９】
（４ａ）  次に、修正フィールド（５０２）内に、修正内容を記入するための領域が予め記載乃至は記入されていない場合、ユーザは下記操作を行う。ユーザは、デジタルペン（２４１）を用いて、修正フィールド（５０２）内において、修正フィールド名「１」が記載された近傍に、四角（５１２）（第４領域）を記入する。四角（５１２）の大きさは、下記操作（５ａ）に示すように、修正内容「2011/11/04」が記入できる大きさであれば特に制限されない。一方、修正フィールド（５０２）内に、修正フィールド名「１」に関連付けられた修正内容を記入するための領域（第３領域）が予め印刷されている場合には、ユーザは次の操作（５ａ）に進む。
【０１００】
（５ａ）  次に、ユーザは、デジタルペン（２４１）を用いて、四角（５１２）内に、修正内容「2011/11/04」を記入する。
【０１０１】
上記（１ａ）〜（５ａ）に示す操作によって、テーブル（４０２）中のレコード１（４２１−１）の属性名１（４２２−１）の属性値が、当初記入値である「2011/11/03」から、上記記入された「2011/11/04」に置き換えられる。
【０１０２】
上記操作（１ａ）〜（５ａ）では、ユーザの操作の観点から、修正フィールドを使用して情報を修正する方法を説明した。下記（Ａ１）〜（Ｅ１）において、本発明に従う装置（１０１）の観点から、修正フィールドを使用して情報を修正する方法を説明する（図８に記載のフローチャートも併せて参照されたい）。
【０１０３】
（Ａ１）  ユーザの上記操作（１ａ）に応じて、装置（１０１）は、通信手段（２０１）を介して、デジタルペン（２４１）からの情報を取得し、修正記号検出手段（２１３）を使用して、修正記号である二重線が記入されたことを検出する。当該検出に応じて、装置（１０１）は、特定手段（２０３）を使用して、項目フィールド名「請求書受領日」、「送金予定日」、「送金先」、及び「送金額」のうちのいずれの項目フィールド名に関連付けられた第１領域（４１２−１〜４１２−４）内に記入された情報に修正記号が記入されたかを特定する。特定手段（２０３）は、上記修正記号が記入されたときのデジタルペン（２４１）の物理的媒体（４０１）上の位置情報に基づいて、項目フィールド名「請求書受領日」に関連付けられた第１領域（４１２−１）を特定する。
【０１０４】
（Ｂ１）  ユーザの上記操作（２ａ）に応じて、装置（１０１）は、通信手段（２０１）を介して、デジタルペン（２４１）からの情報を取得し、記入情報検出手段（２１１）及びＯＣＲ手段／位置情報検出手段（２１２）を使用して、四角（５１１）が記入されたことを検出する。装置（１０１）は、修正記号が付加された後に四角（５１１）が検出されたので、四角（５１１）が修正フィールド名（３６４）を記入するために用意された領域であることを認識する。
【０１０５】
（Ｃ１）  ユーザの上記操作（３ａ）に応じて、装置（１０１）は、記入情報検出手段（２１１）及びＯＣＲ手段／位置情報検出手段（２１２）を使用して、四角（５１１）内に記入された番号「１」を特定する。そして、修正フィールド（５０２）内に、修正内容を記入するための領域（第３領域）が予め印刷されている場合には、四角（５１２）（第３領域）を、第１領域（４１２−１）に関連付ける。
【０１０６】
（Ｄ１）  ユーザの上記操作（４ａ）に応じて、装置（１０１）は、特定手段（２０３）を使用して、四角（５１２）（第４領域又は第５領域）を第１領域（４１２−１）に関連付ける。当該関連付けは、上記に記載した通り、図４Ｃに示す紙帳票データ（４０３）のレコード１の属性名１の各座標値（Ｘ始点、Ｘ終点、Ｙ始点及びＹ終点）を、第１領域の座標値から、上記特定された修正フィールド名「１」に関連付けられた領域（５１２）の座標値に置き換えることによって行われうる。
【０１０７】
（Ｅ１）  ユーザの上記操作（５ａ）に応じて、置き換え手段（２０４）は、四角（５１２）内に修正内容「2011/11/04」が記入されることに応じて、記入情報検出手段（２１１）及びＯＣＲ手段／位置情報検出手段（２１２）を使用して、紙帳票位置データ（４０３）のレコード１（４３１−１）のフィールド名（４３２−２）「請求書受領日」をクリアにし、且つ、予め用意されていた修正フィールド名「１」に関連付けられた修正内容を記入するための領域（第３領域）の物理的位置データを格納するレコード（例えばレコード１００（図示せず））のフィールド名（４３２−２）に「請求書受領日」というフィールド名を入力する。また、装置（１０１）は、記入情報検出手段（２１１）及びＯＣＲ手段／位置情報検出手段（２１２）を使用して、四角（５１２）に記入された情報をテキスト化する。引き続き、置き換え手段（２０４）は、テーブル（４０２）中のレコード１（４２１−１）の属性名１（４２２−１）の属性値を、「2011/11/03」から、上記テキスト化された「2011/11/04」に置き換える。
【０１０８】
図５Ｂは、図５Ａにおける修正フィールドを使用して情報を修正した後に、さらに当該情報を修正することを示すための図である。
図５Ｂに示す紙帳票（４０１）は図５Ａに示す紙帳票（４０１）と同じであり、従って、図３Ｆに示す紙帳票（３６１）と同じである。
【０１０９】
ユーザは、修正フィールド名「１」に対応する情報として記入していた「2011/11/04」という記載を「2011/11/02」にさらに修正したいとする。ユーザは、当該修正のために、デジタルペン（２４１）を用いて、下記操作（１ａ’）〜（５ａ’）を行う。
【０１１０】
（１ａ’）  ユーザは、デジタルペン（２４１）を用いて、四角（５１１）内に記載されている数字「１」上に、又は、四角（５１１）上に、取り消し線、例えば「×」のマークを記入する。
【０１１１】
（２ａ’）  次に、ユーザは、デジタルペン（２４１）を用いて、四角（５１１）に隣接して又はその近傍に、四角（５１３）を記入する。四角（５１３）の大きさは、下記操作（３ａ’）に示すように、修正フィールド名を特定するための番号「２」が記入できる大きさであれば特に制限されない。
【０１１２】
（３ａ’）  次に、ユーザは、デジタルペン（２４１）を用いて、四角（５１３）内に、修正フィールド名を特定するための番号「２」を記入する。
【０１１３】
（４ａ’）  次に、修正フィールド（５０２）内に、修正内容を記入するための領域が予め記載乃至は記入されていない場合、ユーザは下記操作を行う。ユーザは、デジタルペン（２４１）を用いて、修正フィールド（５０２）内において、修正フィールド名「２」が記載された近傍に、四角（５１４）（第４領域）を記入する。四角（５１４）の大きさは、下記操作（５ａ’）に示すように、修正内容「2011/11/02」が記入できる大きさであれば特に制限されない。一方、修正フィールド（５０２）内に、修正フィールド名「２」に関連付けられた修正内容を記入するための領域（第３領域）が予め印刷されている場合には、ユーザは次の操作（５ａ’）に進む。
【０１１４】
（５ａ’）  次に、ユーザは、デジタルペン（２４１）を用いて、四角（５１４）内に、修正内容「2011/11/02」を記入する。
【０１１５】
上記（１ａ’）〜（５ａ’）に示す操作によって、テーブル（４０２）のレコード１（４２１−１）の属性名１（４２２−１）の属性値が、図５Ａにおいて説明した方法によって置き換えられた「2011/11/04」から、上記記入された「2011/11/02」にさらに置き換えられる。
【０１１６】
上記操作（１ａ’）〜（５ａ’）では、ユーザの操作の観点から、修正フィールドを使用して情報をさらに修正する方法を説明した。下記（Ａ１’）〜（Ｅ１’）において、本発明に従う装置（１０１）の観点から、修正フィールドを使用して情報をさらに修正する方法を説明する。
【０１１７】
（Ａ１’）  ユーザの上記操作（１ａ’）に応じて、装置（１０１）は、通信手段（２０１）を介して、デジタルペン（２４１）からの情報を取得し、修正記号検出手段（２１３）を使用して、修正記号である×マークが記入されたことを検出する。当該検出に応じて、装置（１０１）は、特定手段（２０３）を使用して、四角（５１１）内に上記修正記号が記入されたことを特定する。特定手段（２０３）は、上記修正記号が記入されたときのデジタルペン（２４１）の物理的媒体（４０１）上の位置情報に基づいて、四角（５１１）を特定する。
【０１１８】
（Ｂ１’）  ユーザの上記操作（２ａ’）に応じて、装置（１０１）は、通信手段（２０１）を介して、デジタルペン（２４１）からの情報を取得し、記入情報検出手段（２１１）及びＯＣＲ手段／位置情報検出手段（２１２）を使用して、四角（５１３）が記入されたことを検出する。装置（１０１）は、修正記号が付加された後に四角（５１３）が検出されたので、四角（５１３）が修正フィールド名（３６４）を記入するために用意された領域であることを認識する。
【０１１９】
（Ｃ１’）  ユーザの上記操作（３ａ’）に応じて、装置（１０１）は、記入情報検出手段（２１１）及びＯＣＲ手段／位置情報検出手段（２１２）を使用して、四角（５１３）内に記入された番号「２」を特定する。そして、修正フィールド（５０２）内に、修正内容を記入するための領域（第３領域）が予め印刷されている場合には、四角（５１３）（第４領域）を、四角（５１１）（第４領域）を通じて第１領域（４１２−１）に間接的に、又は、第１領域（４１２−１）に直接的に、関連付ける。
【０１２０】
（Ｄ１’）  ユーザの上記操作（４ａ’）に応じて、装置（１０１）は、特定手段（２０３）を使用して、四角（５１４）（第４領域）を、四角（５１１）を通じて第１領域（４１２−１）に間接的に、又は、第１領域（４１２−１）に直接的に、関連付ける。
【０１２１】
（Ｅ１’）  ユーザの上記操作（５ａ’）に応じて、置き換え手段（２０４）は、四角（５１４）内に修正内容「2011/11/02」が記入されることに応じて、記入情報検出手段（２１１）及びＯＣＲ手段／位置情報検出手段（２１２）を使用して、紙帳票位置データ（４０３）のレコード１（４３１−１）のフィールド名（４３２−１００）（図示せず）「請求書受領日」をクリアにし、且つ、予め用意されていた修正フィールド名「２」に関連付けられた修正内容を記入するための領域（第３領域）の物理的位置データを格納するレコード（例えばレコード１０１（図示せず））のフィールド名（４３２−２）に「請求書受領日」というフィールド名を入力する。また、装置（１０１）は、記入情報検出手段（２１１）及びＯＣＲ手段／位置情報検出手段（２１２）を使用して、四角（５１４）（第４領域）に記入された情報をテキスト化する。引き続き、置き換え手段（２０４）は、テーブル（４０２）のレコード１（４２１−１）の属性名１（４２２−１）の属性値を、「2011/11/04」から、上記テキスト化された「2011/11/02」に置き換える。
【０１２２】
図６Ａは、本発明の一つの実施態様に従う、物理的媒体上に、修正対象である領域の属性値を変更するために使用される領域（修正領域）を記入して、当該修正領域を使用して情報を修正することを示すための図である。
図６Ａに示す紙帳票（４０１）は、図３Ｆに示す紙帳票（３７１）と同じである。紙帳票（４０１）は、所定フィールド（６０１）を有しているが、修正フィールドを有していない。紙帳票（４０１）には、中継手段（２３１）が取り付けられている。
【０１２３】
ユーザは、項目フィールド名「請求書受領日」に対応する情報として記入されている「2011/11/03」という記載を「2011/11/04」に修正したいとする。ユーザは、当該修正のために、デジタルペン（２４１）を用いて、下記操作（１ｂ）〜（４ｂ）を行う。
【０１２４】
（１ｂ）  ユーザは、デジタルペン（２４１）を用いて、「2011/11/03」上に、又は、「2011/11/03」が記入されている第１領域（４１２−１）内に、取り消し線、例えば二重線「＝」を記入する。
【０１２５】
（２ｂ）  次に、ユーザは、デジタルペン（２４１）を用いて、所定フィールド（６０１）内の空白領域（何も記載されていない領域）に、修正内容を記入するための領域である四角（６１１）（第５領域）を記入する。四角（６１１）の大きさは、下記操作（３ｂ）に示すように、修正内容「2011/11/04」が記入できる大きさであれば特に制限されない。従って、四角（６１１）を記入できれば、上記空白領域は物理的媒体上のどこにあってもよい。ただし、ユーザが紙帳票（４０１）を後日見て、修正箇所を容易に特定できるような場所に四角（６１１）を記入することが、紙帳票（４０１）上で修正箇所が特定できることを考慮すると好ましい。
【０１２６】
（３ｂ）  次に、ユーザは、デジタルペン（２４１）を用いて、四角（６１１）内に、修正内容「2011/11/04」を記入する。
【０１２７】
（４ｂ）  次に、ユーザは、デジタルペン（２４１）を用いて、第１領域（６０１）内から四角（６１１）内に向けて、線（６１２）を記入する。線は、好ましくは実線である。代替的に、ユーザは、デジタルペン（２４１）を用いて、四角（６１１）内から第１領域（６０１）内に向けて、線を記入してもよい。上記線（６１２）の記入に応じて、四角（６１１）が第１領域（６０１）に関連付けられうる。当該関連付けは、図４Ｃに示す紙帳票データ（４０３）のレコード１の属性名１の各座標値（Ｘ始点、Ｘ終点、Ｙ始点及びＹ終点）を、第１領域の座標値から、四角（６１１）の座標値に置き換えることによって行われうる。
【０１２８】
なお、上記操作（３ｂ）及び（４ｂ）の順序は、逆であってもよい。すなわち、ユーザは、デジタルペン（２４１）を用いて、第１領域（６０１）内から四角（６１１）内に向けて線（６１２）を記入する。従って、線（６１２）の始点は第１領域（６０１）内にあり、且つ、線（６１２）の終点は四角（６１１）内にある。代替的に、ユーザは、デジタルペン（２４１）を用いて、第１領域（６０１）内から四角（６１１）内に向けて線（６１２）を記入することも可能であるが、この場合、装置（１０１）が、四角（６１１）の位置情報に基づいて、四角（６１１）内にある線の終点（座標）を線（６１２）の始点（座標）に置き換え、且つ、第１領域（６０１）内にある線の始点（座標）を線（６１２）の終点（座標）に置き換える。次に、ユーザは、デジタルペン（２４１）を用いて、四角（６１１）内に、修正内容「2011/11/04」を記入する。
【０１２９】
上記（１ｂ）〜（４ｂ）に示す操作によって、テーブル（４０２）のレコード１（４２１−１）の属性名１（４２２−１）の属性値が、当初記入値である「2011/11/03」から、上記記入された「2011/11/04」に置き換えられる。
【０１３０】
上記操作（１ｂ）〜（４ｂ）では、ユーザの操作の観点から、図５Ａに示す修正フィールドを使用しないで情報を修正する方法を説明した。下記（Ａ２）〜（Ｄ２）において、本発明に従う装置（１０１）の観点から、修正フィールドを使用して情報を修正する方法を説明する（図９Ａ及び図９Ｂに記載のフローチャートも併せて参照されたい）。
【０１３１】
（Ａ２）  ユーザの上記操作（１ｂ）に応じて、装置（１０１）は、通信手段（２０１）を介して、デジタルペン（２４１）からの情報を取得し、修正記号検出手段（２１３）を使用して、修正記号である二重線が記入されたことを検出する。当該検出に応じて、装置（１０１）は、特定手段（２０３）を使用して、項目フィールド名「請求書受領日」、「送金予定日」、「送金先」、及び「送金額」のうちのいずれの項目フィールド名に関連付けられた第１領域（４１２−１〜４１２−４）内に記入された情報に修正記号が記入されたかを特定する。特定手段（２０３）は、上記修正記号が記入されたときのデジタルペン（２４１）の物理的媒体（４０１）上の位置情報に基づいて、項目フィールド名「請求書受領日」に関連付けられた第１領域（４１２−１）を特定する。
【０１３２】
（Ｂ２）  ユーザの上記操作（２ｂ）に応じて、装置（１０１）は、通信手段（２０１）を介して、デジタルペン（２４１）からの情報を取得し、記入情報検出手段（２１１）及びＯＣＲ手段／位置情報検出手段（２１２）を使用して、四角（６１１）が記入されたことを検出する。装置（１０１）は、修正記号が付加された後に四角（６１１）が検出されたので、四角（６１１）が修正内容を記入するための領域（第５領域）であることを認識する。
【０１３３】
（Ｃ２）  ユーザの上記操作（３ｂ）に応じて、装置（１０１）は、記入情報検出手段（２１１）及びＯＣＲ手段／位置情報検出手段（２１２）を使用して、四角（６１１）内に記入された文字「2011/11/04」をテキスト化する。
【０１３４】
（Ｄ２）  ユーザの上記操作（４ｂ）に応じて、置き換え手段（２０４）は、線（６１２）が記入されることに応じて、記入情報検出手段（２１１）及びＯＣＲ手段／位置情報検出手段（２１２）を使用して、紙帳票位置データ（４０３）のレコード１（４３１−１）のＸ始点（４３３−１）、Ｘ終点（４３３−２）、Ｙ始点（４３３−３）及びＹ終点（４３３−４）の各属性値（すなわち、第１領域（４１２−１）の物理的位置である属性値）を、四角（６１１）のＸ始点（４３３−１）、Ｘ終点（４３３−２）、Ｙ始点（４３３−３）及びＹ終点（３３−４）の各属性値に置き換える。また、装置（１０１）は、特定手段（２０３）を使用して、四角（６１１）を第１領域（４１２−１）に関連付ける。引き続き、置き換え手段（２０４）は、テーブル（４０２）のレコード１（４２１−１）の属性名１（４２２−１）の属性値を、「2011/11/03」から、上記テキスト化された「2011/11/04」に置き換える。
【０１３５】
図６Ｂは、図６Ａに示すようにして情報を修正した後に、さらに当該情報を修正することを示すための図である。
ユーザは、四角（６１１）に記入していた「2011/11/04」という記載を「2011/11/02」にさらに修正したいとする。以下において、ユーザが、物理的媒体上に、修正対象である領域の属性値を変更するために使用される領域（修正領域）を記入して、当該修正領域を使用して情報を修正した後に、当該修正した情報をさらに修正したい場合に行う操作を以下に述べる。ユーザは、当該さらなる修正のために、デジタルペン（２４１）を用いて、下記操作（１ｂ’）〜（４ｂ’）を行えばよい。
【０１３６】
（１ｂ’）  ユーザは、デジタルペン（２４１）を用いて、四角（６１１）内に記載されている文字「2011/11/04」上に、又は、四角（６１１）上に取り消し線、例えば「×」のマークを記入する。
【０１３７】
（２ｂ’）  次に、ユーザは、デジタルペン（２４１）を用いて、所定フィールド（６０１）内の空白領域に、修正内容を記入するための領域である四角（６２１）（第５領域）を記入する。四角（６２１）の記入位置は、好ましくは、四角（６１１）に隣接して又はその近傍である。なぜならば、ユーザが、四角（６１１）の内容を再修正したことの把握を容易にするためである。四角（６２１）の大きさは、下記操作（３ｂ’）に示すように、修正内容「2011/11/02」が記入できる大きさであれば特に制限されない。
【０１３８】
（３ｂ’）  次に、ユーザは、デジタルペン（２４１）を用いて、四角（６２１）内に、修正内容「2011/11/02」を記入する。
【０１３９】
（４ｂ’）  次に、ユーザは、デジタルペン（２４１）を用いて、四角（６１１）内から四角（６２１）内に向けて、線（６２２）を記入する。代替的に、ユーザは、デジタルペン（２４１）を用いて、四角（６２１）内から四角（６１１）内に向けて、線を記入してもよい。
【０１４０】
なお、上記操作（３ｂ’）及び（４ｂ’）の順序は、逆であってもよい。
【０１４１】
上記（１ｂ’）〜（４ｂ’）に示す操作によって、テーブル（４０２）のレコード１（４２１−１）の属性名１（４２２−１）の属性値が、修正値である「2011/11/04」から、さらなる修正値である「2011/11/02」に置き換えられる。
【０１４２】
上記操作（１ｂ’）〜（４ｂ’）では、ユーザの操作の観点から、上記修正領域を使用して情報をさらに修正する方法を説明した。下記（Ａ２’）〜（Ｄ２’）において、本発明に従う装置（１０１）の観点から、情報をさらに修正する方法を説明する。
【０１４３】
（Ａ２’）  ユーザの上記操作（１ｂ’）に応じて、装置（１０１）は、通信手段（２０１）を介して、デジタルペン（２４１）からの情報を取得し、修正記号検出手段（２１３）を使用して、修正記号である×マークが記入されたことを検出する。当該検出に応じて、装置（１０１）は、特定手段（２０３）を使用して、四角（６１１）上に修正記号が記入されたことを特定する。特定手段（２０３）は、上記修正記号が記入されたときのデジタルペン（２４１）の物理的媒体（４０１）上の位置情報に基づいて、四角（５１１）を特定する。
【０１４４】
（Ｂ２’）  ユーザの上記操作（２ｂ’）に応じて、装置（１０１）は、通信手段（２０１）を介して、デジタルペン（２４１）からの情報を取得し、記入情報検出手段（２１１）及びＯＣＲ手段／位置情報検出手段（２１２）を使用して、四角（６２１）が記入されたことを検出する。装置（１０１）は、修正記号が付加された後に四角（６２１）が検出されたので、四角（６２１）が修正内容を記入するための領域（第５領域）であることを認識する。
【０１４５】
（Ｃ２’）  ユーザの上記操作（３ｂ’）に応じて、装置（１０１）は、記入情報検出手段（２１１）及びＯＣＲ手段／位置情報検出手段（２１２）を使用して、四角（６２１）内に記入された文字「2011/11/02」をテキスト化する。
【０１４６】
（Ｄ２’）  ユーザの上記操作（４ｂ’）に応じて、置き換え手段（２０４）は、線（６２２）が記入されることに応じて、記入情報検出手段（２１１）及びＯＣＲ手段／位置情報検出手段（２１２）を使用して、紙帳票位置データ（４０３）のレコード１（４３１−１）のＸ始点（４３３−１）、Ｘ終点（４３３−２）、Ｙ始点（４３３−３）及びＹ終点（４３３−４）の各属性値（すなわち、四角（６１１）の物理的位置である属性値）を、四角（６２１）のＸ始点（４３３−１）、Ｘ終点（４３３−２）、Ｙ始点（４３３−３）及びＹ終点（３３−４）の各属性値に置き換える。また、装置（１０１）は、特定手段（２０３）を使用して、四角（６２１）を、四角（６１１）を通じて第１領域（４１２−１）に間接的に、又は、第１領域（４１２−１）に直接的に、関連付ける。引き続き、置き換え手段（２０４）は、テーブル（４０２）のレコード１（４２１−１）の属性名１（４２２−１）の属性値を、「2011/11/04」から、上記テキスト化された「2011/11/02」に置き換える。
【０１４７】
図６Ｃは、本発明の一つの実施態様に従う、物理的媒体上に、修正対象である領域の属性値を変更するために使用される領域（修正領域）を記入して、当該修正領域を使用して情報を修正することを示すための図である。
図６Ｃに示す紙帳票（４０１）は、図３Ｆに示す紙帳票（３７１）と同じである。紙帳票（４０１）は、所定フィールド（６３１）を有しているが、修正フィールドを有していない。紙帳票（４０１）には、中継手段（２３１）が取り付けられている。
【０１４８】
ユーザは、項目フィールド名「請求書受領日」に対応する情報として記入されている「2011/11/03」という記載を「2011/11/04」に修正したいとする。ユーザは、当該修正のために、デジタルペン（２４１）を用いて、下記操作（１ｃ）〜（３ｃ）を行う。
【０１４９】
（１ｃ）  ユーザは、デジタルペン（２４１）を用いて、「2011/11/03」上に、又は、「2011/11/03」が記入されている第１領域（４１２−１）内に、取り消し線、例えば二重線「＝」を記入する。
【０１５０】
（２ｃ）  次に、ユーザは、デジタルペン（２４１）を用いて、修正記号が付加された第１領域についての項目フィールド名に対応する修正対象項目フィールド名（四角枠なし）又は当該修正対象項目フィールド名を記入するための修正対象項目フィールド名領域（６４１）と、当該修正対象項目フィールド名又は当該修正対象項目フィールド名領域（６４１）に関連付けられた、修正内容を記入するための領域である四角（６４２）（第６領域）を記入する。修正対象項目フィールド名（四角枠なし）が記入される場合、当該修正対象項目フィールド名と四角（６４２）は、近接した位置に配置されうる。修正対象項目フィールド名領域（６４１）が記入される場合、四角（６４２）は、修正対象項目フィールド名領域（６４１）に隣接して又は近接して配置されうる。装置（１０１）に、左側に記入された領域が修正対象項目フィールド名領域（６４１）であり、それ以外の場合に四角（６４２）であるということをデフォルトで設定している場合において、四角（６４２）は、修正対象項目フィールド名領域（６４１）の、左側以外の上側、下側、右側、右上側又は右下側などに配置されうる。修正対象項目フィールド名領域（６４１）及び四角（６４２）それぞれの大きさは、下記操作（３ｃ）に示すように、修正対象項目フィールド名及び修正内容「2011/11/04」がそれぞれ記入できる大きさであれば特に制限されない。
【０１５１】
（３ｃ）  次に、ユーザは、デジタルペン（２４１）を用いて、修正対象項目フィールド名領域（６４１）及び四角（６４２）それぞれに、修正する情報を含む第１領域に関連付けられた修正対象項目フィールド名「１」及び修正内容「2011/11/04」それぞれを記入する。上記第６領域内に修正内容が記入されることに応じて、四角（６４２）が第１の領域に関連付けられる。当該関連づけは、図４Ｃに示す紙帳票データ（４０３）のレコード１の属性名１の各座標値（Ｘ始点、Ｘ終点、Ｙ始点及びＹ終点）を、第１領域の座標値から、四角（６４２）の座標値に置き換えることによって行われうる。
【０１５２】
上記操作（２ｃ）において、修正対象項目フィールド名領域（６４１）及び四角（６４２）の記入の順序は、いずれが先であってもよい。すなわち、ユーザは、デジタルペン（２４１）を用いて、修正対象項目フィールド名領域（６４１）を記入した後に、四角（６４２）を記入してもよく、又は、四角（６４２）を記入した後に、修正対象項目フィールド名領域（６４１）を記入してもよい。
【０１５３】
上記操作（３ｃ）において、項目フィールド名「１」及び修正内容「2011/11/04」の記入の順序は、いずれが先であってもよい。すなわち、ユーザは、デジタルペン（２４１）を用いて、項目フィールド名「１」を記入した後に、修正内容「2011/11/04」を記入してもよく、又は、修正内容「2011/11/04」を記入した後に、項目フィールド名「１」を記入してもよい。
【０１５４】
上記（１ｃ）〜（３ｃ）に示す操作によって、テーブル（４０２）のレコード１（４２１−１）の属性名１（４２２−１）の属性値が、当初記入値である「2011/11/03」から「2011/11/04」に置き換えられる。
【０１５５】
上記操作（１ｃ）〜（３ｃ）では、ユーザの操作の観点から、図５Ａに示す修正フィールドを使用しないで情報を修正する方法を説明した。下記（Ａ３）〜（Ｃ３）において、本発明に従う装置（１０１）の観点から、修正フィールドを使用して情報を修正する方法を説明する（図９Ｃに記載のフローチャートも併せて参照されたい）。
【０１５６】
（Ａ３）  ユーザの上記操作（１ｃ）に応じて、装置（１０１）は、通信手段（２０１）を介して、デジタルペン（２４１）からの情報を取得し、修正記号検出手段（２１３）を使用して、修正記号である二重線が記入されたことを検出する。当該検出に応じて、装置（１０１）は、特定手段（２０３）を使用して、項目フィールド名「請求書受領日」、「送金予定日」、「送金先」、及び「送金額」のうちのいずれの項目フィールド名に関連付けられた第１領域（４１２−１〜４１２−４）内に記入された情報に修正記号が記入されたかを特定する。特定手段（２０３）は、上記修正記号が記入されたときのデジタルペン（２４１）の物理的媒体（４０１）上の位置情報に基づいて、項目フィールド名「請求書受領日」に関連付けられた第１領域（４１２−１）を特定する。
【０１５７】
（Ｂ３）  ユーザの上記操作（２ｃ）に応じて、装置（１０１）は、通信手段（２０１）を介して、デジタルペン（２４１）からの情報を取得し、記入情報検出手段（２１１）及びＯＣＲ手段／位置情報検出手段（２１２）を使用して、修正対象項目フィールド名領域（６４１）及び四角（６４２）が記入されたことを検出する。装置（１０１）は、修正記号が付加された後に修正対象項目フィールド名領域（６４１）及び四角（６４２）が検出されたので、修正対象項目フィールド名領域（６４１）が、修正する項目フィールド名を記入する欄であり、且つ、四角（６４２）が、修正内容を記入するための領域（第６領域）であることを認識する。また、置き換え手段（２０４）は、ユーザの上記操作（２ｃ）に応じて、記入情報検出手段（２１１）及びＯＣＲ手段／位置情報検出手段（２１２）を使用して、紙帳票位置データ（４０３）のレコード１（４３１−１）のＸ始点（４３３−１）、Ｘ終点（４３３−２）、Ｙ始点（４３３−３）及びＹ終点（４３３−４）の各属性値（すなわち、第１領域（４１２−１）の物理的位置である属性値）を、四角（６４２）のＸ始点（４３３−１）、Ｘ終点（４３３−２）、Ｙ始点（４３３−３）及びＹ終点（３３−４）の各属性値に置き換える。
【０１５８】
（Ｃ３）  ユーザの上記操作（３ｃ）に応じて、装置（１０１）は、記入情報検出手段（２１１）及びＯＣＲ手段／位置情報検出手段（２１２）を使用して、修正対象項目フィールド名領域（６４１）に記入された文字「１」及び四角（６４２）内に記入された日付「2011/11/04」をテキスト化する。そして、装置（１０１）は、特定手段（２０３）を使用して、四角（６４２）を第１領域（４１２−１）に関連付ける。引き続き、装置（１０１）は、置き換え手段（２０４）を使用して、テーブル（４０２）のレコード１（４２１−１）の属性名１（４２２−１）の属性値を、「2011/11/03」から、上記テキスト化された「2011/11/04」に置き換える。
【０１５９】
図６Ｄは、図６Ｃに示すようにして情報を修正した後に、さらに当該情報を修正することを示すための図である。
ユーザは、四角（６４２）に記入していた「2011/11/04」という記載を「2011/11/02」にさらに修正したいとする。以下において、ユーザが、物理的媒体上に、修正対象である領域の属性値を変更するために使用される領域（修正領域）を記入して、当該修正領域を使用して情報を修正した後に、当該修正した情報をさらに修正したい場合に行う操作を以下に述べる。ユーザは、当該さらなる修正のために、デジタルペン（２４１）を用いて、下記操作（１ｃ’）〜（３ｃ’）を行えばよい。
【０１６０】
（１ｃ’）  ユーザは、デジタルペン（２４１）を用いて、四角（６４２）内に記載されている文字「2011/11/04」上に、又は、四角（６４２）上に取り消し線、例えば二重線を記入する。
【０１６１】
（２ｃ’）  次に、ユーザは、デジタルペン（２４１）を用いて、四角（６４１）に対応する修正対象項目フィールド名（四角枠なし）、又は当該修正対象項目フィールド名を記入するための修正対象項目フィールド名領域（６５１）と、修正対象項目フィールド名又は修正対象項目フィールド名領域（６５１）に関連付けられた、修正内容を記入するための領域である四角（６５２）（第６領域）とを記入する。修正対象項目フィールド名領域（６５１）及び四角（６５２）それぞれの大きさは、下記操作（３ｃ’）に示すように、修正対象項目フィールド名及び修正内容「2011/11/02」がそれぞれ記入できる大きさであれば特に制限されない。
【０１６２】
（３ｃ’）  次に、ユーザは、デジタルペン（２４１）を用いて、修正対象項目フィールド名領域（６５１）及び四角（６５２）それぞれに、修正する情報を含む第１領域に関連付けられた修正対象項目フィールド名「１」及び修正内容「2011/11/02」それぞれを記入する。
【０１６３】
上記操作（２ｃ’）において、修正対象項目フィールド名領域（６５１）及び四角（６５２）の記入の順序は、いずれが先であってもよい。
【０１６４】
上記操作（３ｃ’）において、項目フィールド名「１」及び修正内容「2011/11/02」の記入の順序は、いずれが先であってもよい。
【０１６５】
上記（１ｃ’）〜（３ｃ’）に示す操作によって、テーブル（４０２）のレコード１（４２１−１）の属性名１（４２２−１）の属性値が、修正値である「2011/11/04」から、さらなる修正値である「2011/11/02」に置き換えられる。
【０１６６】
上記操作（１ｃ’）〜（３ｃ’）では、ユーザの操作の観点から、上記修正領域を使用して情報をさらに修正する方法を説明した。下記（Ａ３’）〜（Ｃ３’）において、本発明に従う装置（１０１）の観点から、情報をさらに修正する方法を説明する。
【０１６７】
（Ａ３’）  ユーザの上記操作（１ｃ’）に応じて、装置（１０１）は、通信手段（２０１）を介して、デジタルペン（２４１）からの情報を取得し、修正記号検出手段（２１３）を使用して、修正記号である二重線が記入されたことを検出する。当該検出に応じて、装置（１０１）は、特定手段（２０３）を使用して、上記修正記号が記入されたときのデジタルペン（２４１）の物理的媒体（４０１）上の位置情報に基づいて、四角（６４２）上に修正記号が記入されたことを特定する。
【０１６８】
（Ｂ３’）  ユーザの上記操作（２ｃ’）に応じて、装置（１０１）は、通信手段（２０１）を介して、デジタルペン（２４１）からの情報を取得し、記入情報検出手段（２１１）及びＯＣＲ手段／位置情報検出手段（２１２）を使用して、修正対象項目フィールド名領域（６５１）及び四角（６５２）が記入されたことを検出する。装置（１０１）は、修正記号が付加された後に修正対象項目フィールド名領域（６５１）及び四角（６５２）が検出されたので、修正対象項目フィールド名領域（６５１）が、修正する項目フィールド名を記入する領域であり、且つ、四角（６５２）が修正内容を記入するための領域（第６領域）であることを認識する。また、置き換え手段（２０４）は、ユーザの上記操作（２ｃ）に応じて、記入情報検出手段（２１１）及びＯＣＲ手段／位置情報検出手段（２１２）を使用して、紙帳票位置データ（４０３）のレコード１（４３１−１）のＸ始点（４３３−１）、Ｘ終点（４３３−２）、Ｙ始点（４３３−３）及びＹ終点（４３３−４）の各属性値（すなわち、四角（６４２）の物理的位置である属性値）を、四角（６５２）のＸ始点（４３３−１）、Ｘ終点（４３３−２）、Ｙ始点（４３３−３）及びＹ終点（３３−４）の各属性値に置き換える。
【０１６９】
（Ｃ３’）  ユーザの上記操作（３ｃ’）に応じて、装置（１０１）は、記入情報検出手段（２１１）及びＯＣＲ手段／位置情報検出手段（２１２）を使用して、修正対象項目フィールド名領域（６５１）に記入された数字「１」及び四角（６５２）内に記入された日付「2011/11/02」をテキスト化する。そして、装置（１０１）は、特定手段（２０３）を使用して、修正対象項目フィールド名領域（６５１）に記入された数字が「１」であることから、四角（６５２）を第１領域（４１２−１）に直接的に、又は、四角（６４２）を介して第１領域（４１２−１）に間接的に関連付ける。引き続き、装置（１０１）は、置き換え手段（２０４）を使用して、テーブル（４０２）のレコード１（４２１−１）の属性名１（４２２−１）の属性値を、「2011/11/04」から、上記テキスト化された「2011/11/02」に置き換える。
【０１７０】
図７Ａは、本発明の一つの実施態様において使用されうる、デジタルペンを用いた入力支援及びデジタルペンにより記入された修正記号の検出のための処理の基本フローチャートを示す。
ステップ７０１では、装置（１０１）は、デジタルペン（２４１）を用いた入力支援及び修正記号の検出のための処理を開始する。
【０１７１】
ステップ７０２では、検出手段（２０２）は、通信手段（２０１）を介してデジタルペン（２４１）を用いて記入された情報の受け取りを開始し、物理的媒体上の所定フィールドへの、ユーザのデジタルペン（２４１）による記入を検出する。
【０１７２】
ステップ７０３では、検出手段（２０２）は、ステップ７０２で検出した記入されたものが、修正記号であるか、又はそれ以外（文字若しくは数字、又は、それ以外のもの、例えば図形、例えば四角形）であるかを、記入情報検出手段（２１１）及びＯＣＲ手段／位置情報検出手段（２１２）を使用して検出する。検出手段（２０２）は、上記記入されたものが修正記号でないことに応じて、処理をステップ７０４に進める。一方、検出手段（２０２）は、上記記入されたものが修正記号であることに応じて、処理をステップ７０５に進める。
【０１７３】
ステップ７０４では、特定手段（２０３）は、ステップ７０２で検出した記入されたものが修正記号でないことに応じて、当該記入されたもの又は当該記入に対応する値（以下、属性値ともいう）が項目フィールドの入力値として適切であるかどうかを判断する。特定手段（２０３）は、例えば、項目フィールドが「年月日」である場合に、その属性値が生年月日を表すものであれば当該属性値を入力値として適切であると判断し、一方、その属性値が生年月日を表すものでなければ当該属性値を入力値として適切でないと判断しうる。特定手段（２０３）は、上記属性値が項目フィールドの入力値として適切であることに応じて、処理をステップ７０６に進める。一方、特定手段（２０３）は、上記属性値が項目フィールドの入力値として適切でないことに応じて、処理をステップ７０７に進める。
【０１７４】
ステップ７０６では、置き換え手段（２０５）は、上記属性値が項目フィールドの入力値として適切であることに応じて、メモリ（２０５）内の一時テーブル（２１４）、又は記憶装置のデータベース（２２４）中の、上記記入がされた項目フィールドの属性値を、上記適切であると判断された属性値で置き換える。なお、上記項目フィールドへの記入が新規入力である場合、属性値ｎｕｌｌが上記適切であると判断された属性値で置き換えられる。
【０１７５】
ステップ７０８では、装置（１０１）は、デジタルペン（２４１）を用いて記入された情報の受け取りを終了する。代替的に、装置（１０１）は、処理をステップ７０２に進め、次の記入が検出されるまで待つ。
【０１７６】
ステップ７０５では、特定手段（２０３）は、ステップ７０２で検出した記入されたものが修正記号であることに応じて、当該修正記号が記入された項目フィールドに対して、修正予定フラグを立てる。また、特定手段（２０３）は、ステップ７０２で検出した記入されたものが修正記号であることに応じて、図８、図９Ａ〜図９Ｂ、又は、図９Ｃに示すフローチャートの処理を開始するためのトリガーを発生する。また、特定手段（２０３）は、修正予定フラグを立てるとともに、項目フィールドの属性値をクリア（ｎｕｌｌ）にしてもよい。
【０１７７】
ステップ７０７では、特定手段（２０３）は、ステップ７０２で検出した記入されたものが項目フィールドの入力値として適切でないことに応じて、入力エラーを出力し、処理をステップ７０２に戻す。当該入力エラーの出力は、装置（１０１）に接続された若しくは中継手段（２３１）に備えられた画面上にその旨を表示することにより、装置（１０１）に備え付けられた若しくは中継手段（２３１）に備えられたスピーカーから音を出力することにより、又は、デジタルペン（２４１）に備えられた振動機能により、その旨をユーザに通知しうる。また、処理をステップ７０２に戻すことによって、特定手段（２０３）は、修正記号が入力されるまで、ステップ７０２で検出した記入されたものが不適切な文字列として処理をすることが可能である。
【０１７８】
図７Ｂは、図７Ａに示す基本フローチャートのうち、デジタルペンを用いた入力支援のための処理を抜き出したフローチャートを示す。
ステップ７１１、７１２、７１４、７１６、７１７、及び７１８はそれぞれ、図７Ａのステップ７０１、７０２、７０４、７０６、７０７、及び７１８に対応する。従って、ステップ７１１、７１２、７１４、７１６、７１７、及び７１８の各説明については、図７Ａのステップ７０１、７０２、７０４、７０６、７０７、及び７１８の各説明を参照されたい。図７Ａでは、ステップ７０２においてデジタルペン（２４１）によるユーザ記入を検出し、次に、ステップ７０３において、ステップ７０２で検出した記入されたものが、修正記号であるかどうかを判断する。一方、図７Ｂでは、ステップ７１２においてデジタルペン（２４１）によるユーザ記入を検出し、次に、ステップ７１４において、ステップ７１２で検出した記入されたものが項目フィールドの入力値として適切であるかどうかを判断する。
【０１７９】
図７Ｃは、図７Ａに示す基本フローチャートのうち、修正記号の検出処理を抜き出したフローチャートを示す。
ステップ７２１、７２２、７２３、７２５及び７２８はそれぞれ、図７Ａのステップ７０１、７０２、７０３、７０５及び７０８に対応する。従って、ステップ７２１、７２２、７２３、７２５及び７２８の各説明については、図７Ａのステップ７０１、７０２、７０３、７０５及び７０８の各説明を参照されたい。
【０１８０】
図８は、本発明の一つの実施態様に従う、修正フィールドを使用して情報を修正するためのフローチャートを示す。
ステップ８０１では、装置（１０１）は、修正フィールドを使用して情報を修正するための処理を開始する。当該処理において使用される物理的媒体は、例えば、図５Ａに示されている紙帳票（４０１）である。
【０１８１】
ステップ８０２では、検出手段（２０２）は、デジタルペン（２４１）から取得した情報に基づいて、所定フィールド中に、修正フィールドに記載された修正フィールド名が記入されたことを検出する。
【０１８２】
ステップ８０３では、特定手段（２０３）は、項目フィールドが修正予定であるかどうかを確認する。当該確認は、対象である項目フィールドに対して修正予定フラグ（図７Ａのステップ７０５を参照されたい）が立てられているかどうかで行われうる。特定手段（２０３）は、項目フィールドが修正予定であることに応じて、処理をステップ８０４に進める。一方、特定手段（２０３）は、項目フィールドが修正予定でないことに応じて、処理をステップ８０９のエラー出力の処理に進める。
【０１８３】
ステップ８０４では、記入情報検出手段（２１１）及びＯＣＲ手段／位置情報検出手段（２１２）は、デジタルペン（２４１）から取得した情報に基づいて、所定フィールド中へ記入された修正フィールド名をテキスト化する。
【０１８４】
ステップ８０５では、特定手段（２０３）は、ステップ８０４で検出した修正フィールド名が物理的媒体上の修正フィールド内に存在するかどうかを確認する。当該確認は、図４Ｃに示す紙帳票位置データ（４０３）内に又はテーブル（４０２）内に、検出した修正フィールド名があるかどうかで行われうる。特定手段（２０３）は、上記検出した修正フィールド名が修正フィールド内に存在することに応じて、処理をステップ８０６に進める。一方、特定手段（２０３）は、上記検出した修正フィールド名が修正フィールド内に存在しないことに応じて、処理をステップ８０９のエラー出力の処理に進める。
【０１８５】
ステップ８０６では、特定手段（２０３）は、上記検出した修正フィールド名が修正フィールド内に存在することに応じて、上記検出した修正フィールド名に関連付けられた、情報を記入するための領域（第３領域又は第４領域）が、未使用であるかどうかを確認する。当該確認は、図４Ｃに示す紙帳票位置データ（４０３）内に又はテーブル（４０２）内に、上記検出した修正フィールド名に関連付けられた属性値が格納されていないかどうかで行われうる。特定手段（２０３）は、上記領域が未使用であることに応じて、処理をステップ８０７に進める。一方、特定手段（２０３）は、上記領域が未使用でない、すなわち既に使用されていることに応じて、処理をステップ８０９のエラー出力の処理に進める。
【０１８６】
ステップ８０７では、記入情報検出手段（２１１）及びＯＣＲ手段／位置情報検出手段（２１２）は、デジタルペン（２４１）から取得した情報に基づいて、上記検出した修正フィールド名に関連付けられた、情報を記入するための領域へ記入された入力値をテキスト化する。
【０１８７】
ステップ８０８では、置き換え手段（２０４）は、メモリ又は記憶装置に格納されたテーブル中の修正対象である項目フィールドの属性値を上記領域への入力値に置き換える。
【０１８８】
ステップ８０９では、特定手段（２０３）は、ステップ８０３の項目フィールドが修正予定でないことに応じて、ステップ８０５の上記検出した修正フィールド名が修正フィールド内に存在しないことに応じて、又はステップ８０６の上記領域が未使用でないことに応じて、修正をすることができない旨のエラーを出力する。当該エラーの出力は、装置（１０１）に接続された若しくは中継手段（２３１）に備えられた画面上にその旨を表示することにより、装置（１０１）に備え付けられた若しくは中継手段（２３１）に備えられたスピーカーから音を出力することにより、又は、デジタルペン（２４１）に備えられた振動機能により、その旨をユーザに通知しうる。
【０１８９】
ステップ８１０では、装置（１０１）は、修正フィールドを使用して情報を修正するための処理を終了する。当該処理の終了することに応じて、装置（１０１）は、処理を図７Ａに示すステップ７０２に進め、次の記入が検出されるまで待つことができる。
【０１９０】
図９Ａは、本発明の一つの実施態様に従う、物理的媒体上に、修正対象である領域の属性値を変更するために使用される領域（修正領域）を記入して、当該修正領域を使用して情報を修正するためのフローチャートを示す。
ステップ９０１では、装置（１０１）は、上記修正領域を使用して情報を修正するための処理を開始する。
【０１９１】
ステップ９０２では、検出手段（２０２）は、デジタルペン（２４１）から取得した情報に基づいて、所定フィールド中に、線が記入されたことを検出する。
【０１９２】
ステップ９０３では、特定手段（２０３）は、上記検出した線の始点（物理的媒体上での位置である）が、既存の項目フィールド名領域（第１領域）内にあるかどうかを判断する。当該判断は、図４Ｃに示す紙帳票位置データ（４０３）を参照することによって行われうる。特定手段（２０３）は、上記検出した線の始点が既存の項目フィールド名領域内にあることに応じて、処理をステップ９０４に進める。一方、特定手段（２０３）は、上記検出した線の始点が既存の項目フィールド名領域内にないことに応じて、処理をステップ９０９に進める。
【０１９３】
ステップ９０４では、特定手段（２０３）は、上記検出した線の始点が既存の項目フィールド名領域内にあることに応じて、当該検出した線の終点（物理的媒体上での位置である）が、修正フィールド内の新規に用意された情報を記入するための領域（特許請求の範囲に記載の第５領域に対応する）内にあるかどうかを判断する。当該判断は、図４Ｃに示す紙帳票位置データ（４０３）を参照することによって行われうる。当該判断は、図４Ｃに示す紙帳票位置データ（４０３）を参照することによって行われうる。特定手段（２０３）は、上記検出した線の終点が修正フィールド内の新規に用意された情報を記入するための領域内にあることに応じて、処理をステップ９０５に進める。一方、特定手段（２０３）は、上記検出した線の終点が修正フィールド内の新規に用意された情報を記入するための領域内にないことに応じて、処理をステップ９０８のエラー出力の処理に進める。
【０１９４】
ステップ９０５では、特定手段（２０３）は、上記検出した線の終点が修正フィールド内の新規に用意された情報を記入するための領域内にあることに応じて、上記検出した線の始点が指す項目フィールドの属性値が修正予定であるかどうかを判断する。当該判断は、対象である項目フィールドに対して修正予定フラグ（図７Ａのステップ７０５を参照されたい）が立てられているかどうかで行われうる。特定手段（２０３）は、上記検出した線の始点が指す項目フィールド名領域の属性値が修正予定であることに応じて、処理をステップ９０６に進める。一方、特定手段（２０３）は、上記検出した線の始点が指す項目フィールド名領域の属性値が修正予定でないことに応じて、処理をステップ９０８のエラー出力の処理に進める。
【０１９５】
ステップ９０６では、記入情報検出手段（２１１）及びＯＣＲ手段／位置情報検出手段（２１２）は、修正フィールド内の新規に用意された情報を記入するための上記領域内への入力値をテキスト化する。
【０１９６】
ステップ９０７では、置き換え手段（２０５）は、メモリ又は記憶装置に格納されたテーブル中の修正対象である項目フィールド名領域の属性値を上記領域への入力値に置き換える。
【０１９７】
ステップ９０８では、特定手段（２０３）は、ステップ９０４の上記検出した線の終点が修正フィールド内の新規に用意された情報を記入するための領域内にないことに応じて、又はステップ９０５の上記検出した線の始点が指す項目フィールド名領域の属性値が修正予定でないことに応じて、修正をすることができない旨のエラーを出力する。当該エラーの出力は、装置（１０１）に接続された若しくは中継手段（２３１）に備えられた画面上にその旨を表示することにより、装置（１０１）に備え付けられた若しくは中継手段（２３１）に備えられたスピーカーから音を出力することにより、又は、デジタルペン（２４１）に備えられた振動機能により、その旨をユーザに通知しうる。
【０１９８】
ステップ９０９では、装置（１０１）は、上記修正領域を使用して情報を修正するための処理を終了する。当該処理の終了することに応じて、装置（１０１）は、処理を図７Ａに示すステップ７０２に進め、次の記入が検出されるまで待つことができる。
【０１９９】
図９Ｂは、図９Ａに示すフローチャートに関連して、情報を記入するための領域を修正フィールド内の新規に用意された領域であると定義する処理のためのフローチャートを示す。
ステップ９１１では、装置（１０１）は、上記領域を定義する処理を開始する。
【０２００】
ステップ９１２では、検出手段（２０２）は、デジタルペン（２４１）から取得した情報に基づいて、１つの四角形の記入がされたことを検出する。
【０２０１】
ステップ９１３では、特定手段（２０３）は、上記四角形の記入を検出したことに応じて、図９Ａのステップ９０４と同様に、ステップ９０２で検出した線の終点（物理的媒体上での位置である）が、修正フィールド内の新規に用意された情報を記入するための領域（特許請求の範囲に記載の第５領域に対応する）内にあるかどうかを判断する。特定手段（２０３）は、上記検出した線の終点が修正フィールド内の新規に用意された情報を記入するための領域内にあることに応じて、処理をステップ９１４に進める。一方、特定手段（２０３）は、上記検出した線の終点が修正フィールド内の新規に用意された情報を記入するための領域内にないことに応じて、処理をステップ９１５に進める。
【０２０２】
ステップ９１４では、特定手段（２０３）は、上記検出した線の終点が修正フィールド内の新規に用意された情報を記入するための領域内にあることに応じて、上記検出した線の終点にある領域を新規の領域であると定義する。
【０２０３】
ステップ９１５では、装置（１０１）は、上記領域を定義する処理を終了する。
【０２０４】
図９Ｃは、本発明の一つの実施態様に従う、物理的媒体上に、修正対象項目フィールド名と、修正対象である領域の属性値を変更するために使用される領域（修正領域）とを記入して、当該修正対象項目フィールド名及び修正領域を使用して情報を修正するためのフローチャートを示す。
ステップ９２１では、装置（１０１）は、上記修正対象項目フィールド名及び修正領域を使用して情報を修正するための処理を開始する。
【０２０５】
ステップ９２２では、検出手段（２０２）は、デジタルペン（２４１）から取得した情報に基づいて、修正フィールド内に２つの四角形が隣接して、又は、近接して記入されたことを検出する。以下では、２つの四角形が左右に配置されたとする。また、左の四角形を左領域、右の四角形を右領域という。左領域は、修正対象である領域（第１領域）に関連付けられた項目フィールド名を特定するために記入されるフィールド名である修正対象項目フィールド名を記入するために使用される。右領域は、上記修正対象である領域の属性値を変更するために使用される領域（修正領域）であり、変更後の属性値を記入するために使用される。
【０２０６】
ステップ９２３では、特定手段（２０３）は、デジタルペン（２４１）から取得した情報に基づいて、左領域に修正対象項目フィールド名が記入されたかどうかを判断する。当該判断は、デジタルペン（２４１）の、上記記入時の物理的媒体上の位置に基づいて判断されうる。特定手段（２０３）は、左領域に修正対象項目フィールド名が記入されたことに応じて、処理をステップ９２４に進める。一方、特定手段（２０３）は、左領域に修正対象項目フィールド名が記入されていないことに応じて、処理をステップ９２７のエラー出力の処理に進める。
【０２０７】
ステップ９２４では、特定手段（２０３）は、記入情報検出手段（２１１）及びＯＣＲ手段／位置情報検出手段（２１２）を使用して、修正対象項目フィールド名をテキスト化する。特定手段（２０３）は、上記修正対象項目フィールド名に対応する項目フィールド名が所定フィールド内に存在するかどうかを判断する。当該判断は、図４Ｂに示すテーブル（４０２）を参照して行われうる。特定手段（２０３）は、上記修正対象項目フィールド名に対応する項目フィールド名が所定フィールド内に存在することに応じて、処理をステップ９２５に進める。一方、特定手段（２０３）は、上記修正対象項目フィールド名に対応する項目フィールド名が所定フィールド内に存在することに応じて、処理をステップ９２７のエラー出力の処理に進める。
【０２０８】
ステップ９２５では、特定手段（２０３）は、記入情報検出手段（２１１）及びＯＣＲ手段／位置情報検出手段（２１２）を使用して、右領域に記入された入力値を検出し、テキスト化する。
【０２０９】
ステップ９２６では、置き換え手段（２０５）は、メモリ又は記憶装置に格納されたテーブル中の修正対象である項目フィールドの属性値を上記右領域への入力値に置き換える。
【０２１０】
ステップ９２７では、ステップ９２３の左領域に修正対象項目フィールド名が記入されていないことに応じて、又は、上記修正対象名に対応する項目フィールド名が所定フィールド内に存在することに応じて、修正をすることができない旨のエラーを出力する。当該エラーの出力は、装置（１０１）に接続された若しくは中継手段（２３１）に備えられた画面上にその旨を表示することにより、装置（１０１）に備え付けられた若しくは中継手段（２３１）に備えられたスピーカーから音を出力することにより、又は、デジタルペン（２４１）に備えられた振動機能により、その旨をユーザに通知しうる。
【０２１１】
ステップ９２８では、装置（１０１）は、上記修正対象項目フィールド名及び修正領域を使用して情報を修正するための処理を終了する。当該処理の終了することに応じて、装置（１０１）は、処理を図７Ａに示すステップ７０２に進め、次の記入が検出されるまで待つことができる。
【図１】
0005822677.tif 000002
【図２Ａ】
0005822677.tif 000003
【図２Ｂ】
0005822677.tif 000004
【図３Ａ】
0005822677.tif 000005
【図３Ｂ】
0005822677.tif 000006
【図３Ｃ】
0005822677.tif 000007
【図３Ｄ】
0005822677.tif 000008
【図３Ｅ】
0005822677.tif 000009
【図３Ｆ】
0005822677.tif 000010
【図４Ａ】
0005822677.tif 000011
【図４Ｂ】
0005822677.tif 000012
【図４Ｃ】
0005822677.tif 000013
【図５Ａ】
0005822677.tif 000014
【図５Ｂ】
0005822677.tif 000015
【図６Ａ】
0005822677.tif 000016
【図６Ｂ】
0005822677.tif 000017
【図６Ｃ】
0005822677.tif 000018
【図６Ｄ】
0005822677.tif 000019
【図７Ａ】
0005822677.tif 000020
【図７Ｂ】
0005822677.tif 000021
【図７Ｃ】
0005822677.tif 000022
【図８】
0005822677.tif 000023
【図９Ａ】
0005822677.tif 000024
【図９Ｂ】
0005822677.tif 000025
【図９Ｃ】
0005822677.tif 000026